(57)【要約】      （修正有）【課題】  遊技機の予約を集客向上や客が殺到する遊技機の混乱防止等のために利用できるようにすること。【解決手段】  遊技場用端末１５０から、遊技機の予約を可能とする期間と、予約可能対象情報を受付ける予約可能対象情報受付手段１４と、該受付けた予約可能対象情報を記憶する予約可能対象情報記憶手段１４０と、遊技者の情報端末からのアクセスに基づいて、予約可能な遊技機を特定し、該特定した予約対象情報を該情報端末に配信する予約対象情報配信手段１４０と、予約を所望する遊技機の遊技機識別情報と、遊技者識別情報とを予約要求として受付ける予約要求受付け手段１４と、遊技機の予約を許容するか否かを判定する判定手段１４０と、該予約を許容すると判定されたことを条件に、該許容された予約要求の遊技機識別情報と遊技者識別情報とを対応付けて予約情報として記憶する予約情報記憶手段１４０と、を備える。【選択図】  図１
2005111010.tif 000002
【特許請求の範囲】
【請求項１】
通信回線網を介して接続された遊技場関係者が操作可能な遊技場用端末から、当該遊技場に設置されている遊技機の予約を可能とする期間を特定可能な情報と、当該期間において予約を可能とする遊技機を個々に識別可能な遊技機識別情報と、を予約可能対象情報として受付ける予約可能対象情報受付手段と、
該予約可能対象情報受付手段にて受付けた予約可能対象情報を記憶する予約可能対象情報記憶手段と、
通信回線網を介して接続された遊技者が操作可能な情報端末からのアクセスに基づいて、前記予約可能対象情報記憶手段に記憶している予約可能対象情報に基づいて当該アクセス時点において予約可能な遊技機を特定し、該特定した予約可能な遊技機を特定可能な情報を含む予約対象情報をアクセスしてきた情報端末に配信する予約対象情報配信手段と、
該情報端末から遊技者が予約を所望する遊技機の遊技機識別情報と、当該遊技者を個々に識別可能な遊技者識別情報と、を予約要求として受付ける予約要求受付け手段と、
該予約要求受付け手段にて予約要求として受付けた遊技機識別情報から識別される遊技機の予約を許容するか否かを判定する判定手段と、
該判定手段において予約を許容すると判定されたことを条件に、前記予約要求受付け手段にて予約要求として受付けた遊技機識別情報と遊技者識別情報とを対応付けて予約情報として記憶する予約情報記憶手段と、
を備えることを特徴とする遊技用管理装置。
【請求項２】
前記予約可能対象情報受付手段は、遊技場を個々に特定可能な遊技場識別情報と前記予約可能対象情報とを受付け、
前記予約可能対象情報記憶手段は、前記予約可能対象情報受付手段により受付けた前記遊技場識別情報と予約可能対象情報とを対応付けて記憶し、
前記予約対象情報配信手段は、前記情報端末から指定を受付けた指定遊技場の遊技場識別情報に対応付けて前記予約可能対象情報記憶手段に記憶されている予約可能対象情報に基づいて前記アクセス時点において予約可能な遊技機を特定することを特徴とする請求項１に記載の遊技用管理装置。
【請求項３】
前記予約要求受付け手段が前記情報端末から予約要求の受付けを実施する予約可能時間を、前記遊技場用端末から受付ける予約可能時間受付手段を備え、
前記予約要求受付け手段は、前記予約可能時間受付手段にて受付けた予約可能時間内において予約要求の受付けを実施することを特徴とする請求項１または２に記載の遊技用管理装置。
【請求項４】
前記遊技者識別情報に対応付けて、当該遊技者に関する属性情報を記憶する遊技者情報記憶手段と、
予約を行うことのできる遊技者条件として前記属性情報に関する条件を前記遊技場用端末から受付ける予約対象条件受付手段と、
前記予約要求受付け手段にて予約要求として受付けた遊技者識別情報に対応付けて前記遊技者情報記憶手段に記憶されている属性情報に基づいて、当該遊技者が前記予約対象条件受付手段にて受付けた属性情報に関する条件を満たす予約を行うことのできる遊技者であるか否かを判定する予約対象者判定手段と、
を備え、
前記判定手段は、前記予約対象者判定手段において予約を行うことのできる遊技者に該当すると判定されたことを条件に、前記予約を許容するか否かの判定を実施することを特徴とする請求項１〜３のいずれかに記載の遊技用管理装置。
【請求項５】
少なくとも前記予約可能対象情報受付手段にて受付けた情報から特定される予約を可能とする遊技機の前記遊技機識別情報と当該遊技機での遊技に関連して発生する遊技関連情報を入力するための遊技関連情報入力手段と、
該遊技関連情報入力手段より入力された前記遊技機識別情報と遊技関連情報とを対応付けて記憶するための遊技関連情報記憶手段と、
該遊技関連情報記憶手段に記憶されている少なくとも予約を可能とする遊技機の遊技関連情報を前記情報端末に配信する遊技関連情報配信手段と、
を備えることを特徴する請求項１〜４のいずれかに記載の遊技用管理装置。
【請求項６】
前記遊技関連情報入力手段には、予約を可能とする遊技機以外の予約を不能とする遊技機の前記遊技機識別情報と遊技関連情報とが入力され、
前記遊技関連情報記憶手段には、各遊技機識別情報に対応付けて当該遊技機が予約を可能とする遊技機か否かを識別可能な予約可否情報が記憶され、
前記遊技関連情報配信手段は、前記遊技関連情報記憶手段に記憶されている遊技関連情報を、当該遊技関連情報に対応付けて記憶されている前記予約可否情報に基づいて、当該遊技関連情報に対応する遊技機が予約を可能とする遊技機であるか否かを識別可能に配信することを特徴とする請求項５に記載の遊技用管理装置。
【請求項７】
前記予約可能対象情報受付手段にて受付けた情報から特定される予約を可能とする遊技機に関する告知情報を前記遊技場用端末から受付ける告知情報受付手段と、
該告知情報受付手段にて受付けた告知情報を記憶する告知情報記憶手段と、
該告知情報記憶手段に記憶した告知情報を前記情報端末に配信する告知情報配信手段と、
を備えることを特徴とする請求項１〜６のいずれかに記載の技用管理装置。
【請求項８】
遊技場に設置された遊技機を予約する遊技機予約サービスを、データ通信可能に接続された複数のコンピュータ端末から成るコンピュータネットワークに接続されたサーバコンピュータを用いて、アクセス利用者に対して提供する遊技機予約サービスの提供方法であって、
遊技場関係者が操作可能な遊技場用端末から、当該遊技場に設置されている遊技機の予約を可能とする期間を特定可能な情報と、当該期間において予約を可能とする遊技機を個々に識別可能な遊技機識別情報と、を予約可能対象情報として受付ける予約可能対象情報受付ステップと、
該予約可能対象情報受付ステップにて受付けた予約可能対象情報を記憶する予約可能対象情報記憶ステップと、
通信回線網を介して接続された遊技者が操作可能な情報端末からのアクセスに基づいて、前記予約可能対象情報記憶ステップにて記憶した予約可能対象情報に基づいて当該アクセス時点において予約可能な遊技機を特定し、該特定した予約可能な遊技機を特定可能な情報を含む予約対象情報をアクセス利用者に対して配信する予約対象情報配信ステップと、
該予約対象情報を配信したアクセス利用者から予約を所望する遊技機の遊技機識別情報と、当該アクセス利用者である遊技者を個々に識別可能な遊技者識別情報と、を予約要求として受付ける予約要求受付けステップと、
該予約要求受付けステップにて予約要求として受付けた遊技機識別情報から識別される遊技機の予約を許容するか否かを判定する予約許容判定ステップと、
該予約許容判定ステップにて予約を許容すると判定されたことを条件に、前記予約要求受付けステップにて予約要求として受付けた遊技機識別情報と遊技者識別情報とを対応付けて予約情報として記憶する予約情報記憶ステップと、
を含むことを特徴とする遊技機予約サービスの提供方法。
【請求項９】
前記予約可能対象情報受付ステップにおいては、遊技場を個々に特定可能な遊技場識別情報と前記予約可能対象情報とを受付け、
前記予約可能対象情報記憶ステップにおいては、前記予約可能対象情報受付ステップにおいて受付けた前記遊技場識別情報と予約可能対象情報とを対応付けて記憶し、
前記予約対象情報配信ステップにおいては、アクセス利用者から指定を受付けた指定遊技場の遊技場識別情報に対応付けて前記予約可能対象情報記憶ステップにて記憶された予約可能対象情報に基づいて前記アクセス時点において予約可能な遊技機を特定することを特徴とする請求項８に記載の遊技機予約サービスの提供方法。
【請求項１０】
前記予約要求受付けステップによりアクセス利用者から予約要求の受付けを実施する予約可能時間を、前記遊技場用端末から受付ける予約可能時間受付ステップを含み、
前記予約要求受付けステップは、前記予約可能時間受付ステップにて受付けた予約可能時間内において予約要求の受付けを実施することを特徴とする請求項８または９に記載の遊技機予約サービスの提供方法。
【請求項１１】
前記遊技者識別情報と当該遊技者に関する属性情報とを対応付けて記憶するための遊技者情報記憶ステップと、
予約を行うことのできる遊技者条件として前記属性情報に関する条件を前記遊技場用端末から受付ける予約対象条件受付ステップと、
前記予約要求受付けステップにて予約要求として受付けた遊技者識別情報に対応付けて前記遊技者情報記憶ステップにて記憶されている属性情報に基づいて、当該遊技者が前記予約対象条件受付ステップにて受付けた属性情報に関する条件を満たす予約を行うことのできる遊技者であるか否かを判定する予約対象者判定ステップと、
を含み、
前記予約許容判定ステップにおいては、前記予約対象者判定ステップにて予約を行うことのできる遊技者に該当すると判定されたことを条件に、前記予約を許容するか否かの判定を実施することを特徴とする請求項８〜１０のいずれかに記載の遊技機予約サービスの提供方法。
【請求項１２】
少なくとも前記予約可能対象情報受付ステップにて受付けた情報から特定される予約を可能とする遊技機の前記遊技機識別情報と当該遊技機での遊技に関連して発生する遊技関連情報を受付ける遊技関連情報受付ステップと、
該遊技関連情報受付ステップにて受付けた前記遊技機識別情報と遊技関連情報とを対応付けて記憶するための遊技関連情報記憶ステップと、
該遊技関連情報記憶ステップにて記憶された少なくとも予約を可能とする遊技機の遊技関連情報をアクセス利用者に配信する遊技関連情報配信ステップと、
を含むことを特徴とする請求項８〜１１のいずれかに記載の遊技機予約サービスの提供方法。
【請求項１３】
前記遊技関連情報受付ステップにおいては、予約を可能とする遊技機以外の予約を不能とする遊技機の前記遊技機識別情報と遊技関連情報を受付け、
前記遊技関連情報記憶ステップにおいては、各遊技機識別情報に対応付けて当該遊技機が予約を可能とする遊技機か否かを識別可能な予約可否情報を記憶し、
前記遊技関連情報配信ステップにおいては、前記遊技関連情報記憶ステップにて記憶された遊技関連情報を、当該遊技関連情報に対応付けて記憶されている前記予約可否情報に基づいて、当該遊技関連情報に対応する遊技機が予約を可能とする遊技機であるか否かを識別可能に配信することを特徴とする請求項１２に記載の遊技機予約サービスの提供方法。
【請求項１４】
前記予約可能対象情報受付ステップにて受付けた情報から特定される予約を可能とする遊技機に関する告知情報を前記遊技場用端末から受付ける告知情報受付ステップと、
該告知情報受付ステップにて受付けた告知情報を記憶する告知情報記憶ステップと、
該告知情報記憶ステップに記憶した告知情報をアクセス利用者に対して配信する告知情報配信ステップと、
を含むことを特徴とする請求項８〜１３のいずれかに記載の遊技機予約サービスの提供方法。
【発明の詳細な説明】
【技術分野】
【０００１】
本発明は、遊技者が自宅のパソコンや携帯電話等の情報端末を用いて、遊技場に設置されている遊技機である台を予約することのできる遊技用管理装置および遊技機予約サービスの提供方法に関する。
【背景技術】
【０００２】
近年のインターネット等のコンピュータネットワークの普及に伴ない、遊技場に出向くことなく、自宅や出先から、パソコンや携帯電話を利用して遊技場に設置されている遊技機である台を予約することのできる遊技場用予約システムがある（例えば、特許文献１参照）。
【０００３】
【特許文献１】特開平８−１６４２６１号公報 （第１５頁、第６図）
【発明の開示】
【発明が解決しようとする課題】
【０００４】
これらの遊技場用予約システムを導入する遊技場においては、例えば、好出玉台を予約対象台として設定することにより予約システムの利用者増を図りたいという要望や、低稼働の台をイベント台とし、その一部或いは全部を予約対象台として設定することによりイベントとの相乗効果を図りたいという要望や、新台を予約対象台として混乱を防止したいという要望があるが、前記した従来の遊技場用予約システムや該遊技場用予約システムにより提供される遊技機予約サービスにあっては、遊技機の出玉状況や遊技場の営業方針等を加味して日付毎や期間毎に予約対象台を遊技場が設定することができず、よって、これらの予約システムや予約サービスを集客向上や客が殺到する遊技機の混乱防止等のために利用できないという問題があった。
【０００５】
本発明は、このような問題点に着目してなされたもので、日付毎や期間毎に予約対象台を遊技場が設定できるようにすることで、遊技機の予約を集客向上や客が殺到する遊技機の混乱防止等のために利用することのできる遊技用管理装置並びに遊技機予約サービスの提供方法を提供することを目的としている。
【課題を解決するための手段】
【０００６】
上記の目的を解決するために、本発明の請求項１の遊技用管理装置は、
通信回線網を介して接続された遊技場関係者が操作可能な遊技場用端末から、当該遊技場に設置されている遊技機の予約を可能とする期間を特定可能な情報と、当該期間において予約を可能とする遊技機を個々に識別可能な遊技機識別情報と、を予約可能対象情報として受付ける予約可能対象情報受付手段と、
該予約可能対象情報受付手段にて受付けた予約可能対象情報を記憶する予約可能対象情報記憶手段と、
通信回線網を介して接続された遊技者が操作可能な情報端末からのアクセスに基づいて、前記予約可能対象情報記憶手段に記憶している予約可能対象情報に基づいて当該アクセス時点において予約可能な遊技機を特定し、該特定した予約可能な遊技機を特定可能な情報を含む予約対象情報をアクセスしてきた情報端末に配信する予約対象情報配信手段と、
該情報端末から遊技者が予約を所望する遊技機の遊技機識別情報と、当該遊技者を個々に識別可能な遊技者識別情報と、を予約要求として受付ける予約要求受付け手段と、
該予約要求受付け手段にて予約要求として受付けた遊技機識別情報から識別される遊技機の予約を許容するか否かを判定する判定手段と、
該判定手段において予約を許容すると判定されたことを条件に、前記予約要求受付け手段にて予約要求として受付けた遊技機識別情報と遊技者識別情報とを対応付けて予約情報として記憶する予約情報記憶手段と、
を備えることを特徴としている。
この特徴によれば、遊技場は、前記遊技場用端末から遊技機の予約を可能とする期間と当該期間において予約を可能とする遊技機とを、出玉状況や営業方針を加味して設定できるようになるため、従来の予約サービスに比べて、遊技場の営業戦略に沿った予約サービスを提供できる。これにより、例えば、遊技機の予約を集客向上や客が殺到する遊技機の混乱防止等のために利用することができる。
【０００７】
本発明の請求項２の遊技用管理装置は、請求項１に記載の遊技用管理装置であって、
前記予約可能対象情報受付手段は、遊技場を個々に特定可能な遊技場識別情報と前記予約可能対象情報とを受付け、
前記予約可能対象情報記憶手段は、前記予約可能対象情報受付手段により受付けた前記遊技場識別情報と予約可能対象情報とを対応付けて記憶し、
前記予約対象情報配信手段は、前記情報端末から指定を受付けた指定遊技場の遊技場識別情報に対応付けて前記予約可能対象情報記憶手段に記憶されている予約可能対象情報に基づいて前記アクセス時点において予約可能な遊技機を特定することを特徴としている。
この特徴によれば、遊技者は複数の遊技場の中から予約する遊技機を選択できるようになるため、遊技者の利便性を向上できる。
【０００８】
本発明の請求項３の遊技用管理装置は、請求項１または２に記載の遊技用管理装置であって、
前記予約要求受付け手段が前記情報端末から予約要求の受付けを実施する予約可能時間を、前記遊技場用端末から受付ける予約可能時間受付手段を備え、
前記予約要求受付け手段は、前記予約可能時間受付手段にて受付けた予約可能時間内において予約要求の受付けを実施することを特徴としている。
この特徴によれば、遊技場が予約を行ってほしい客層の遊技者が予約を実施可能な時間帯、例えば多くの勤務者が勤務中の時間帯を避けた夜の時間帯を予約可能時間として設定できるようになり、遊技場が予約を行ってほしい客層の遊技者が予約に際して不利となってしまう不都合を回避することができる。
【０００９】
本発明の請求項４の遊技用管理装置は、請求項１〜３のいずれかに記載の遊技用管理装置であって、
前記遊技者識別情報に対応付けて、当該遊技者に関する属性情報を記憶する遊技者情報記憶手段と、
予約を行うことのできる遊技者条件として前記属性情報に関する条件を前記遊技場用端末から受付ける予約対象条件受付手段と、
前記予約要求受付け手段にて予約要求として受付けた遊技者識別情報に対応付けて前記遊技者情報記憶手段に記憶されている属性情報に基づいて、当該遊技者が前記予約対象条件受付手段にて受付けた属性情報に関する条件を満たす予約を行うことのできる遊技者であるか否かを判定する予約対象者判定手段と、
を備え、
前記判定手段は、前記予約対象者判定手段において予約を行うことのできる遊技者に該当すると判定されたことを条件に、前記予約を許容するか否かの判定を実施することを特徴としている。
この特徴によれば、遊技場は、予約を実施できる遊技者を特定の遊技者に限定できるようになり、これら予約の可否を遊技者の優遇に利用すること等により、多彩な形態の予約の運用を実施できるようになる。
【００１０】
本発明の請求項５の遊技用管理装置は、請求項１〜４のいずれかに記載の遊技用管理装置であって、
少なくとも前記予約可能対象情報受付手段にて受付けた情報から特定される予約を可能とする遊技機の前記遊技機識別情報と当該遊技機での遊技に関連して発生する遊技関連情報を入力するための遊技関連情報入力手段と、
該遊技関連情報入力手段より入力された前記遊技機識別情報と遊技関連情報とを対応付けて記憶するための遊技関連情報記憶手段と、
該遊技関連情報記憶手段に記憶されている少なくとも予約を可能とする遊技機の遊技関連情報を前記情報端末に配信する遊技関連情報配信手段と、
を備えることを特徴としている。
この特徴によれば、遊技者は、遊技関連情報を参考にして予約する遊技機を決定できるため、遊技者の利便性を向上できる。
【００１１】
本発明の請求項６の遊技用管理装置は、請求項５に記載の遊技用管理装置であって、
前記遊技関連情報入力手段には、予約を可能とする遊技機以外の予約を不能とする遊技機の前記遊技機識別情報と遊技関連情報とが入力され、
前記遊技関連情報記憶手段には、各遊技機識別情報に対応付けて当該遊技機が予約を可能とする遊技機か否かを識別可能な予約可否情報が記憶され、
前記遊技関連情報配信手段は、前記遊技関連情報記憶手段に記憶されている遊技関連情報を、当該遊技関連情報に対応付けて記憶されている前記予約可否情報に基づいて、当該遊技関連情報に対応する遊技機が予約を可能とする遊技機であるか否かを識別可能に配信することを特徴としている。
この特徴によれば、遊技者は、予約可能な遊技機の遊技関連情報を、予約可能とされていない遊技機の遊技関連情報と比較して予約する遊技機を選択できるようになるため、遊技者の利便性を更に向上できる。
【００１２】
本発明の請求項７の遊技用管理装置は、請求項１〜６のいずれかに記載の遊技用管理装置であって、
前記予約可能対象情報受付手段にて受付けた情報から特定される予約を可能とする遊技機に関する告知情報を前記遊技場用端末から受付ける告知情報受付手段と、
該告知情報受付手段にて受付けた告知情報を記憶する告知情報記憶手段と、
該告知情報記憶手段に記憶した告知情報を前記情報端末に配信する告知情報配信手段と、
を備えることを特徴としている。
この特徴によれば、予約可能な遊技機に関する告知、例えば新たに予約可能となる遊技機に関する情報等を遊技者に対して実施できるようになり、結果として遊技者の予約の利用を向上できる。
【００１３】
本発明の請求項８の遊技機予約サービスの提供方法は、
遊技場に設置された遊技機を予約する遊技機予約サービスを、データ通信可能に接続された複数のコンピュータ端末から成るコンピュータネットワークに接続されたサーバコンピュータを用いて、アクセス利用者に対して提供する遊技機予約サービスの提供方法であって、
遊技場関係者が操作可能な遊技場用端末から、当該遊技場に設置されている遊技機の予約を可能とする期間を特定可能な情報と、当該期間において予約を可能とする遊技機を個々に識別可能な遊技機識別情報と、を予約可能対象情報として受付ける予約可能対象情報受付ステップと、
該予約可能対象情報受付ステップにて受付けた予約可能対象情報を記憶する予約可能対象情報記憶ステップと、
通信回線網を介して接続された遊技者が操作可能な情報端末からのアクセスに基づいて、前記予約可能対象情報記憶ステップにて記憶した予約可能対象情報に基づいて当該アクセス時点において予約可能な遊技機を特定し、該特定した予約可能な遊技機を特定可能な情報を含む予約対象情報をアクセス利用者に対して配信する予約対象情報配信ステップと、
該予約対象情報を配信したアクセス利用者から予約を所望する遊技機の遊技機識別情報と、当該アクセス利用者である遊技者を個々に識別可能な遊技者識別情報と、を予約要求として受付ける予約要求受付けステップと、
該予約要求受付けステップにて予約要求として受付けた遊技機識別情報から識別される遊技機の予約を許容するか否かを判定する予約許容判定ステップと、
該予約許容判定ステップにて予約を許容すると判定されたことを条件に、前記予約要求受付けステップにて予約要求として受付けた遊技機識別情報と遊技者識別情報とを対応付けて予約情報として記憶する予約情報記憶ステップと、
を含むことを特徴としている。
この特徴によれば、遊技場は、前記遊技場用端末から遊技機の予約を可能とする期間と当該期間において予約を可能とする遊技機とを、出玉状況や営業方針を加味して設定できるようになるため、従来の予約サービスに比べて、遊技場の営業戦略に沿った予約サービスを提供できる。これにより、例えば、遊技機の予約を集客向上や客が殺到する遊技機の混乱防止等のために利用することができる。
【００１４】
本発明の請求項９の遊技機予約サービスの提供方法は、請求項８に記載の遊技機予約サービスの提供方法であって、
前記予約可能対象情報受付ステップにおいては、遊技場を個々に特定可能な遊技場識別情報と前記予約可能対象情報とを受付け、
前記予約可能対象情報記憶ステップにおいては、前記予約可能対象情報受付ステップにおいて受付けた前記遊技場識別情報と予約可能対象情報とを対応付けて記憶し、
前記予約対象情報配信ステップにおいては、アクセス利用者から指定を受付けた指定遊技場の遊技場識別情報に対応付けて前記予約可能対象情報記憶ステップにて記憶された予約可能対象情報に基づいて前記アクセス時点において予約可能な遊技機を特定することを特徴としている。
この特徴によれば、遊技者は複数の遊技場の中から予約する遊技機を選択できるようになるため、遊技者の利便性を向上できる。
【００１５】
本発明の請求項１０の遊技機予約サービスの提供方法は、請求項８または９に記載の遊技機予約サービスの提供方法であって、
前記予約要求受付けステップによりアクセス利用者から予約要求の受付けを実施する予約可能時間を、前記遊技場用端末から受付ける予約可能時間受付ステップを含み、
前記予約要求受付けステップは、前記予約可能時間受付ステップにて受付けた予約可能時間内において予約要求の受付けを実施することを特徴としている。
この特徴によれば、遊技場が予約を行ってほしい客層の遊技者が予約を実施可能な時間帯、例えば多くの勤務者が勤務中の時間帯を避けた夜の時間帯を予約可能時間として設定できるようになり、遊技場が予約を行ってほしい客層の遊技者が予約に際して不利となってしまう不都合を回避することができる。
【００１６】
本発明の請求項１１の遊技機予約サービスの提供方法は、請求項８〜１０のいずれかに記載の遊技機予約サービスの提供方法であって、
前記遊技者識別情報と当該遊技者に関する属性情報とを対応付けて記憶するための遊技者情報記憶ステップと、
予約を行うことのできる遊技者条件として前記属性情報に関する条件を前記遊技場用端末から受付ける予約対象条件受付ステップと、
前記予約要求受付けステップにて予約要求として受付けた遊技者識別情報に対応付けて前記遊技者情報記憶ステップにて記憶されている属性情報に基づいて、当該遊技者が前記予約対象条件受付ステップにて受付けた属性情報に関する条件を満たす予約を行うことのできる遊技者であるか否かを判定する予約対象者判定ステップと、
を含み、
前記予約許容判定ステップにおいては、前記予約対象者判定ステップにて予約を行うことのできる遊技者に該当すると判定されたことを条件に、前記予約を許容するか否かの判定を実施することを特徴としている。
この特徴によれば、遊技場は、予約を実施できる遊技者を特定の遊技者に限定できるようになり、これら予約の可否を遊技者の優遇に利用すること等により、多彩な形態の予約の運用を実施できるようになる。
【００１７】
本発明の請求項１２の遊技機予約サービスの提供方法は、請求項８〜１１のいずれかに記載の遊技機予約サービスの提供方法であって、
少なくとも前記予約可能対象情報受付ステップにて受付けた情報から特定される予約を可能とする遊技機の前記遊技機識別情報と当該遊技機での遊技に関連して発生する遊技関連情報を受付ける遊技関連情報受付ステップと、
該遊技関連情報受付ステップにて受付けた前記遊技機識別情報と遊技関連情報とを対応付けて記憶するための遊技関連情報記憶ステップと、
該遊技関連情報記憶ステップにて記憶された少なくとも予約を可能とする遊技機の遊技関連情報をアクセス利用者に配信する遊技関連情報配信ステップと、
を含むことを特徴としている。
この特徴によれば、遊技者は、遊技関連情報を参考にして予約する遊技機を決定できるため、遊技者の利便性を向上できる。
【００１８】
本発明の請求項１３の遊技機予約サービスの提供方法は、請求項１２に記載の遊技機予約サービスの提供方法であって、
前記遊技関連情報受付ステップにおいては、予約を可能とする遊技機以外の予約を不能とする遊技機の前記遊技機識別情報と遊技関連情報を受付け、
前記遊技関連情報記憶ステップにおいては、各遊技機識別情報に対応付けて当該遊技機が予約を可能とする遊技機か否かを識別可能な予約可否情報を記憶し、
前記遊技関連情報配信ステップにおいては、前記遊技関連情報記憶ステップにて記憶された遊技関連情報を、当該遊技関連情報に対応付けて記憶されている前記予約可否情報に基づいて、当該遊技関連情報に対応する遊技機が予約を可能とする遊技機であるか否かを識別可能に配信することを特徴としている。
この特徴によれば、遊技者は、予約可能な遊技機の遊技関連情報を、予約可能とされていない遊技機の遊技関連情報と比較して予約する遊技機を選択できるようになるため、遊技者の利便性を更に向上できる。
【００１９】
本発明の請求項１４の遊技機予約サービスの提供方法は、請求項８〜１３のいずれかに記載の遊技機予約サービスの提供方法であって、
前記予約可能対象情報受付ステップにて受付けた情報から特定される予約を可能とする遊技機に関する告知情報を前記遊技場用端末から受付ける告知情報受付ステップと、
該告知情報受付ステップにて受付けた告知情報を記憶する告知情報記憶ステップと、
該告知情報記憶ステップに記憶した告知情報をアクセス利用者に対して配信する告知情報配信ステップと、
を含むことを特徴としている。
この特徴によれば、予約可能な遊技機に関する告知、例えば新たに予約可能となる遊技機に関する情報等を遊技者に対して実施できるようになり、結果として遊技者の予約の利用を向上できる。
【発明を実施するための最良の形態】
【００２０】
本発明の実施例を以下に説明する。
まず図１は、本発明の遊技用管理装置および遊技機予約サービスの提供方法が適用された遊技用システムは、図１に示すような構成とされ、通信回線網としてのインターネット網に接続されたアクセス利用者である遊技者ａ、ｂ・・・の情報端末である携帯電話端末１６やノートパソコン１５等や、遊技場管理者の遊技場用端末となるノートパソコン１５０に接続された遊技用管理装置を構成する予約受付センターに設置されたサイトサーバ１４と、該サイトサーバ１４に接続された遊技用管理装置を構成する予約受付センターに設置された管理サーバ１４０と、該管理サーバ１４０に通信回線１１を介して接続され、遊技場の会員遊技者に関する各種情報の管理等を行う各遊技場に設置された遊技場管理装置としての会員管理コンピュータ１２０と、該管理コンピュータ１２０に接続され、遊技場に設置された各遊技機であるパチンコ機２や各パチンコ機２に対応して設けられているカードユニット３に関する情報を収集、管理するホールコンピュータ１１０と、から主に構成されており、利用者ａ、ｂ・・・の情報端末である携帯電話端末１６やノートパソコン１５や遊技場用端末であるノートパソコン１５０とサイトサーバ１４とは、インターネット網を介して双方にデータ送受可能に接続されている。
【００２１】
また、サイトサーバ１４は遊技機の予約の代価となる費用を決済するための決済サービス会社に設けられている決済サーバ１３に接続されており、サイトサーバ１４にて受付けた遊技機の予約費用の決済が該決済サーバ１３にて実施される。
【００２２】
また予約受付センターに設置されたサイトサーバ１４と管理サーバ１４０とは、ＬＡＮケーブルにより接続され双方に高速のデータ送受信を可能に構成されているとともに、管理サーバ１４０と各遊技場に設置された会員管理コンピュータ１２０とは、通信回線１１を介して双方にデータ送受可能とされている。
【００２３】
この本実施例において用いた遊技者の情報端末としての携帯電話１６は、インターネット接続機能を有するとともに、前記ノートパソコン１５は、カードスロットに装着されたモデムカード（図示略）を通じてインターネット網に接続可能とされていて、該インターネット網を介して前記サイトサーバ１４にアクセス可能とされており、該サイトサーバ１４から配信される各種ページにおいて、携帯電話１６に設けられたテンキーや十字キー等の入力部や、ノートパソコン１５に接続されたマウスやキーボード等の入力装置を操作することで、各種の入力や選択ならびに遊技機の予約を実施できるようになっている。
【００２４】
また遊技場管理者の遊技場用端末であるノートパソコン１５０も、ノートパソコン１５と同様にインターネット接続機能を有しており、インターネット網に接続可能とされていて、遊技場管理者がサイトサーバ１４にアクセスして、予約台の設定や変更等の種々の設定を行えるようになっている。
【００２５】
まず、本実施例に用いた遊技場管理装置である会員管理コンピュータ１２０と、ホールコンピュータ１１０の構成を、図２を用いて説明する。
【００２６】
本実施例に用いたホールコンピュータ１１０は、図２に示すように、コンピュータ内部にてデータの送受を行うデータバス１１１に、該ホールコンピュータ１１０が実施する各パチンコ機２における遊技に関連して発生する可変表示の始動回数や大当り回数や供給玉数や打込玉数やカードユニット３における使用度数等の遊技関連情報の収集処理や、これら収集した遊技関連情報を記憶する遊技関連情報管理データベースの更新処理等を行うＣＰＵ１０２、ワークメモリ等として使用されるＲＡＭ１０３、時刻情報やカレンダ情報を出力するＲＴＣ１０４、磁気ディスクや光磁気ディスクから成る記憶装置１０５、ファンクションメニュー等が独自に割り当てられた専用化されたキーボードである入力装置１０６、各種情報を表示出力する表示装置１０７、各種情報をプリント出力するプリンタ１０８、前記会員管理コンピュータ１２０とのデータ通信を行う通信部１０９、パチンコ機２における遊技関連情報を収集、送信する図示しない中継端末やカードユニット３との通信を行う通信インターフェイス（Ｉ／Ｆ）１０１が接続された通常のコンピュータであり、各中継端末から送信される遊技関連情報の受信に基づいて、前記記憶装置１０５の遊技関連情報管理データベースにおいて、各パチンコ機２を個々に識別可能な遊技機識別情報である台番号に対応付けて記憶されている遊技関連情報を更新することで、各パチンコ機２の遊技関連情報を管理するとともに、これら遊技関連情報管理データベースにて管理されている各パチンコ機２の遊技関連情報を、前記通信部１０９を通じて会員管理コンピュータ１２０に送信する。
【００２７】
このホールコンピュータ１１０に接続された本実施例の会員管理コンピュータ１２０は、図２に示すように、コンピュータ内部にてデータの送受を行うデータバス１２１に、該会員管理コンピュータ１２０が実施する会員の個人情報等の会員遊技者に関する会員関連情報を受付けて、該会員遊技者を個々に識別可能な会員識別情報である遊技場会員ＩＤに対応付けて記憶管理するとともに、後述の会員管理ＤＢの更新処理並びに予約対象台の抽出処理や予約台情報の送信処理等の各種処理を行うＣＰＵ１２２、ワークメモリ等として使用されるＲＡＭ１２３、時刻情報やカレンダ情報を出力するＲＴＣ１３１、磁気ディスクや光磁気ディスクから成る記憶装置１２４、新規会員に関する会員関連情報等の各種情報を入力するためのキーボードやマウス等の入力装置１２５、予約を可能とする台の抽出条件を設定するための予約台条件設定画面や翌日の予約対象予定台画面等の各種画面を表示出力するための表示装置１２６並びにプリンタ１２７、遊技場内に各パチンコ機２に対応して設置されたカードユニット３や該カードユニット３にて使用される会員カードやプリペイドカードの度数等の管理を行うシステムコントローラ（図示略）とのデータ通信を行う第１通信部１２８、前記ホールコンピュータ１１０とのデータ通信を行う第２通信部１２９、前記管理サーバ１４０とのデータ通信を行うデジタルサービスユニット（ＤＳＵ）１３０が接続された通常のコンピュータである。
【００２８】
また、前記記憶装置１２４には、該会員管理コンピュータ１２０が処理を実施するための各種処理プログラムに加えて、図３に示す各種テーブルから成る会員管理データベース（ＤＢ）が記憶されている。
【００２９】
まず、会員管理データベースを構成する会員情報テーブルには、図３（ａ）に示すように、会員遊技者に発行された会員カードに記録された遊技場会員ＩＤ毎に、本人確認のための暗証番号と、その時点の貯蓄玉数、並びに当該会員カードを所持する会員遊技者の氏名（名字並びに名前）、性別、年齢、誕生日、職業、郵便番号、住所、電話番号、携帯電話番号等の個人情報や、交通手段、趣味、記念日、電子メールアドレス並びにダイレクトメールの送付の可否や、遊技場会員となってからの来店回数と、来店ポイントが記憶されており、これら貯蓄玉数や来店回数や来店ポイント等の各データが、来店によるカードユニット３への会員カードの挿入や図示しない玉計数器における貯玉の実施により逐次更新されることで、各会員遊技者に関する属性情報が管理されている。
【００３０】
また、会員管理データベースを構成する遊技関連情報テーブルには、図３（ｂ）に示すように、遊技機であるパチンコ機２を個々に識別可能な遊技機識別情報である台番号に対応付けて、該パチンコ機２の機種と、該パチンコ機２に供給された総玉数である供給玉数、該パチンコ機２にて遊技に使用された総玉数である打込玉数、これら供給玉数と打込玉数の差に基づく遊技場側の差玉数（出玉数）、パチンコ機２の可変表示器の総可変表示回数である始動回数、パチンコ機２において発生した大当り回数である大当り回数、パチンコ機２において確率変動状態が発生した回数である確変回数、並びに各大当り間のスタート回数１，２・・・とが、ホールコンピュータ１１０から入手した遊技関連情報に基づいて更新されるようになっており、会員管理コンピュータ１２０において、各パチンコ機２の遊技関連情報を把握、管理できるようになっていて、これら遊技関連情報テーブルに記憶されている当該遊技場に設置されている各パチンコ機２の情報が管理サーバ１４０に送信されて、後述する管理サーバ１４０の遊技関連情報テーブルに反映されることで、管理サーバ１４０においても各遊技場に設置された遊技機である各パチンコ機２の遊技関連情報を把握できるようになっている。
【００３１】
尚、本実施例では、パチンコ機２が設置された遊技場の例を示しているが、本発明はこれに限定されるものではなく、遊技機としてパチンコ機２のみではなく、スロットマシン等も設置されている場合には、該スロットマシンにおけるビッグボーナス回数や出メダル数等を会員管理コンピュータ１２０において管理し、これらのスロットマシンの遊技関連情報を管理サーバ１４０に送信するようにしても良い。
【００３２】
また、会員管理データベースを構成する予約情報テーブルには、図３（ｃ）に示すように、サイトサーバ１４にて受付けられた当該遊技場に設置されているパチンコ機２への予約が、営業開始前の所定時間において前記管理サーバ１４０から配信されることで記憶されており、該予約情報テーブルには、当該遊技場の会員遊技者のみならず、当該遊技場の会員遊技者ではなく、サイトサーバ１４による予約サイトのサイト会員のみである遊技者の予約者も特定できるように、遊技場会員ＩＤとともに遊技者識別情報である予約サイトのサイト会員ＩＤとが、予約日と予約された遊技機であるパチンコ機２の台番号に対応付けて記憶されるようになっており、これら遊技場会員ＩＤやサイト会員ＩＤにより、予約者の本人確認が実施される。
【００３３】
次いで、本実施例に用いた管理サーバ１４０とサイトサーバ１４の構成を図４を用いて説明すると、サイトサーバ１４はコンピュ−タ内部にてデータの送受を行うデータバス１８１に、該サイトサーバ１４が実施する各種処理等を実施する中央演算処理装置（ＣＰＵ）１８２や、該ＣＰＵ１８２が行う処理に使用されるワークメモリ等として使用されるＲＡＭ１８３や、ＬＡＮケーブルを通じて管理サーバ１４０とのデータの送受信を行う第１通信１８８と、前記インターネット網に接続された遊技者の情報端末である携帯電話端末１６やノートパソコン１５、並びに遊技場用端末１５０とデータの送受信を行う第２通信部１８９と、磁気ディスクや光磁気ディスクから成り、前記ＣＰＵ１８２が実施する予約受付けや設定受付け等の各種処理を実施するための処理プログラムや、サイトを構築・運営するためのＨＴＭＬデータ等から成るＷＷＷ（ワールドワイドウェッブ）データ等の各種データが記憶された記憶装置１８４と、が接続された比較的高速の演算処理が可能なコンピュータとされている。
【００３４】
また、サイトサーバ１４の前記ＣＰＵ１８２は、インターネット網を介してサイトサーバ１４のＷＷＷ（ワールドワイドウェッブ）サイトにアクセスしてきたアクセス利用者（遊技者）のログインに対して行う認証処理や、管理者の認証処理や、各種ページの配信処理や、各登録遊技場の遊技機の予約を受付けるための処理や、各遊技場の遊技場管理者から各種設定項目の内容を受付けるための処理等を実施するようになっている。
【００３５】
また前記処理において発生するデータや受付けた各種データは、管理サーバ１４０に送信されて各種テーブルの更新等が実施される。つまり、ＣＰＵ１８２は各種処理において必要な情報があった場合には管理サーバ１４０と協調して各種の処理を行う。
【００３６】
また、前記記憶装置１８４には、利用者並びに遊技場が使用する各情報端末のプラットホーム（オペレーションシステム）等に依存せずに、どのプラットホームにおいても相互に使用可能なＨＴＭＬ（ハイパーテキストマークアップラングエッジ）言語にて記述され、各プラットホームにおいて動作するブラウザソフトを用いて情報の閲覧、入力が実施できるホームページ形式のＷＷＷ（ワールドワイドウェッブ）データが記憶されており、これらＷＷＷ（ワールドワイドウェッブ）データと前記各種処理プログラムとが協調して、サイト内の各種処理を実施するようになっている。
【００３７】
また管理サーバ１４０はコンピュータ内部にてデータの送受を行うデータバス１４１に、モニタ等の表示装置１４６や、キーボードやマウス等の入力装置１４４や、該管理サーバ１４０が実施する各種処理等を実施する中央演算処理装置（ＣＰＵ）１４２や、該ＣＰＵ１４２が行う処理に使用されるワークメモリ等として使用されるＲＡＭ１４３や、時刻情報や任意の年月日、曜日等のカレンダ情報を出力可能なリアルタイムクロック（ＲＴＣ）１４７と、前記サイトサーバ１４の第１通信部１８８にＬＡＮケーブルで相互に接続とされてデータの送受信を行う通信部１４９と、通信回線１１を通じて各遊技場に設置された会員管理コンピュータ１２０とのデータの送受信を行うデジタルサービスユニット（ＤＳＵ）１４８と、磁気ディスクや光磁気ディスクから成り、前記ＣＰＵ１４２が実施する各種処理を実施するための処理プログラムに加えて、後述するサイト会員情報テーブル、サイト予約情報テーブル、遊技関連情報テーブル、予約対象台テーブル、告知情報テーブル、ランキングテーブル等の各種テーブル等が記憶された記憶装置１４５と、が接続された比較的高速の演算処理が可能なコンピュータとされている。
【００３８】
また、本実施例の管理サーバ１４０のＣＰＵ１４２は、各遊技場に設置された会員管理コンピュータ１２０から遊技関連情報の更新データを受付けて、後述する遊技関連情報テーブルを更新する更新処理や、会員管理コンピュータ１２０に翌日の予約台に関する予約情報の送信要求を送信して翌日の予約情報を収集する予約情報収集処理や、サイトサーバ１４へのアクセス利用者や遊技場管理者の認証処理や、遊技場端末であるノートパソコン１５０からサイトサーバ１４にて受付けた予約対象台に関する情報の登録処理や、遊技機の予約に際して、該予約希望の遊技機への予約をサイトサーバ１４にて受付けるか否かを、後述する予約対象台テーブルに記憶されている予約受付時間や予約対象者条件に基づいて判定する判定処理や、該サイトサーバ１４にて予約を受付けた遊技機の台番号と予約者のサイト会員ＩＤと予約日等の情報を後述するサイト予約情報テーブルに記憶する予約登録処理や、該サイト予約情報テーブルに記憶されている予約情報を、各遊技場の会員管理コンピュータ１２０やサイトサーバ１４を介してノートパソコン１５０に送信する予約情報送信処理を実施する。
【００３９】
本実施例におけるサイト会員情報テーブルには、図５（ａ）に示すように、各サイト会員を個々に識別可能とするためのサイト会員ＩＤに対応付けて、サイトサーバ１４による予約サイトへのログイン時に本人確認を実施するためのパスワードと、当該サイト会員の氏名（名字並びに名前）、性別、生年月日、職業、郵便番号、住所、電話番号、携帯電話番号等の個人情報や、交通手段、趣味、記念日、電子メールアドレス並びにダイレクトメールの送付の可否等からなる会員遊技者の属性情報と、当該サイト会員が遊技機を予約する対象となる遊技場を個々に特定可能な遊技場特定情報である遊技場ＩＤ（本実施例では最大５つ）と、各遊技場における当該サイト会員の遊技場会員ＩＤと、各遊技場において遊技場会員となってからの各遊技場における来店回数と、来店ポイントとが記憶されており、これらの記憶情報の内、来店回数や来店ポイントの情報は、遊技機を予約する対象となる遊技場において会員登録を実施しているサイト会員のみが、当該会員となっている遊技場に設置されている前記会員管理コンピュータ１２０から定期的（１日に１回）に送られてくる更新情報に基づいて更新されるようになっている。
【００４０】
また、サイト会員情報テーブルに記憶されているサイト会員の属性情報のうち、氏名や生年月日、性別、電子メールアドレス以外の情報は、当該サイト会員の登録時に遊技場会員ＩＤの受付けがあった場合において、該遊技場に設置された会員管理コンピュータ１２０から管理サーバ１４０が入手して記憶する。
【００４１】
また、本実施例におけるサイト予約情報テーブルには、図５（ｂ）に示すように、予約サイトを構成するサイトサーバ１４にてアクセス利用者である遊技者から受付けた予約内容である、予約日と、予約された遊技機の遊技機識別情報である台番号と、該遊技機が設置されている遊技場の遊技場ＩＤと、予約を実施したサイト会員のサイト会員ＩＤと、当該サイト会員が予約を実施した遊技場の遊技場会員である場合において記憶される遊技場会員ＩＤとが記憶されるようになっており、該サイト予約情報テーブルの記憶内容に基づいて、予約の受付けに際して、予約要求された遊技機が既に予約されていないかが確認されるとともに、各遊技場の遊技場管理者の遊技場用端末となるノートパソコン１５０からの予約状況の確認において、指定された日付における当該遊技場の遊技場ＩＤが記憶されている予約が抽出されて予約状況として配信され、また、営業日前の所定時間において、当日の各遊技場毎の予約が全て抽出され、該抽出された予約情報が各遊技場に設置された会員管理コンピュータ１２０に配信されるようになっている。
【００４２】
また、本実施例における遊技関連情報テーブルには、図６（ａ）に示すように、各遊技場の遊技場ＩＤに対応付けて、各遊技場の遊技場名と当該遊技場が属している地域コード（本実施例では郵便番号を利用）や、各遊技場に設置されている全ての遊技機（パチンコ機２とスロットマシンを含む）の遊技機識別情報である台番号や、各台番号に対応付けて当該遊技機が翌日に予約可能であるか否かを示す「予約」の項目が記憶されており、更に、これら記憶された各台番号に対応付けて、当該遊技機の機種名と始動回数、大当り回数、確変回数、供給玉数、打込玉数、差玉数（出玉数）、各大当り間のスタート回数１，２・・・とから成る遊技関連情報が、前日から７日前までの１週間分に亘り記憶されていて、これら各遊技機場の遊技機の遊技関連情報は、前記会員管理コンピュータ１２０から定期的に送信される更新データにより更新される。尚、本実施例では、該遊技関連情報テーブルに複数の遊技場の遊技場ＩＤが登録され、これら複数の遊技場が前記抽出処理の対象とされ、サイトサーバ１４にて形成される予約サイトにおいて、アクセス利用者は、これら複数の遊技場の遊技機から所望の遊技機を抽出することができる。
【００４３】
また、前記「予約」の項目には、各台番号の遊技機が、後述する予約対象台テーブルに記憶されている予約対象情報に基づいて、翌日の予約可能台であるか、具体的には、当該予約対象台テーブルにおける予約日に、翌日の日付が登録されている予約対象情報に含まれる予約対象台番号に当該遊技機の台番号が該当するか否かにより、翌日の予約可能台で有るか否かが判定され、予約可能台であると判定された場合には当該項目に「可」が登録（記憶）され、予約可能台ではないと判定された場合には、「不可」が記憶されることで、当該遊技機が翌日において予約可能な台であるかを迅速に把握できるようになっており、これら「予約」の項目における登録（記憶）情報に基づいて、後述する台抽出結果ページ等において抽出された遊技機が予約可能な台であるかが判断されるようになっている。
【００４４】
また、本実施例における予約対象台テーブルには、図６（ｂ）に示すように、各遊技場の遊技場ＩＤに対応付けて、当該遊技場の遊技場名や、各予約日において予約対象とする台の台番号が記憶される予約対象台番号や、当該台番号の遊技機の予約を実施することのできる予約者の条件が記憶される予約対象条件や、当該台番号の遊技機の予約を受付ける期間が記憶される予約受付期間や、該予約受付期間中において予約の受付けを実施する時間帯が記憶される予約受付時間帯とが記憶されるようになっており、遊技場用端末であるノートパソコン１５０からサイトサーバ１４にアクセスして予約可能台を設定することで、該設定された予約可能台の設定内容が該予約対象台テーブルに記憶されるとともに、各遊技場に設置されている会員管理コンピュータ１２０から送信される後述する予約対象情報から特定される翌日を予約対象日とする遊技機の情報が該予約対象台テーブルに記憶されるようになっている。
【００４５】
また、本実施例の告知情報テーブルには、図７（ａ）に示すように、予約サイトにアクセスしてきた遊技者が後述するマイページにて各遊技場の新台情報や景品情報を選択した際に、アクセス利用者の情報端末に配信されて表示される各メッセージが記憶されており、これらの各メッセージは、前記遊技場用端末であるノートパソコン１５０から遊技場管理者がサイトサーバ１４により構成されるサイトの所定ページにおいて入力することで、削除或いは変更できるようになっている。また、この告知情報テーブルの新台情報の項目には、新台に関する情報のみならず、予約台に関する告知情報を記憶することができるようになっている。
【００４６】
また、本実施例のランキングテーブルには、図７（ｂ）に示すように、各遊技場の遊技場ＩＤ毎に、１位から１０位までのベスト１０とワースト１０のランキング情報が、パチンコ機においては大当り回数と差玉（出玉）数と確変回数（図示せず）それぞれの各遊技関連情報別に、スロットマシンにおいてはメダルの差枚数やビッグボーナス回数（図示略）等の各遊技関連情報別に記憶されている。この各遊技関連情報におけるランキング情報には、各遊技場における当該遊技関連情報に関する１位から１０位までの台番号と、各台番号に対応付けて当該遊技機の機種名と、当該順位付けに使用された当該遊技関連情報の値、具体的には、大当りベスト（ワースト）１０であれば、当該順位付けに使用された当該遊技関連情報である大当り回数が、また、差玉ベスト（ワースト）１０であれば、当該順位付けに使用された当該遊技関連情報である差玉数が記憶されているとともに、当該遊技機が翌日の営業開始時点において予約可能であるか否かが、前記遊技関連情報テーブルにおける「予約」の項目の記憶内容に基づいて記憶されるようになっている。
【００４７】
これらランキングテーブルへのランキング情報の登録（記憶）は、前記会員管理コンピュータ１２０が設置されていない遊技場にあっては、遊技場管理者が遊技場用端末であるノートパソコン１５０からサイトサーバ１４にアクセスして後述するランキング管理のメニューを選択することで表示されるランキング管理画面（ページ）のメニューから、「パチンコベスト１０」や「パチンコワースト１０」、「パチスロベスト１０」や「パチスロワースト１０」を選択した後、各種遊技関連情報を選択して該選択した種遊技関連情報に対応するベストランキング或いはワーストランキングのデータ（台番号、機種名、大当り回数や差玉数等の遊技関連情報）を入力することで、該入力されたデータがランキングテーブルに記憶されるようになっているとともに、会員管理コンピュータ１２０が設置されている遊技場においては、該会員管理コンピュータ１２０に記憶されている前記遊技関連情報テーブルの記憶情報が所定時間毎に送信されることで更新される管理サーバ１４０の遊技関連情報テーブルに記憶されている遊技関連情報に基づいて、管理サーバ１４０にてランキング情報が自動的に生成されて前記ランキングテーブルへ記憶されるようになっている。
【００４８】
また、本実施例の機種別ランキングテーブルには、図３５に示すように、各遊技場の遊技場ＩＤ毎に、当該遊技場に設置されている各機種毎の１位から１０位までのランキング情報が、遊技場全体のランキングである前記ランキングテーブルの場合と同様に、パチンコ機においては大当り回数と差玉（出玉）数と確変回数（図示せず）それぞれの各遊技関連情報別に、スロットマシンにおいてはメダルの差枚数やビッグボーナス回数（図示略）等の各遊技関連情報別に記憶されている。そして、この各遊技関連情報におけるランキング情報には、各遊技場における当該遊技関連情報に関する同一機種での１位から１０位までの台番号と、当該順位付けに使用された当該遊技関連情報の値、具体的には、大当りベスト（ワースト）１０であれば、当該順位付けに使用された当該遊技関連情報である大当り回数が、また、差玉ベスト（ワースト）１０であれば、当該順位付けに使用された当該遊技関連情報である差玉数が記憶されているとともに、当該遊技機が翌日の営業開始時点において予約可能であるか否かが、前記遊技関連情報テーブルにおける「予約」の項目の記憶内容に基づいて記憶されるようになっている。
【００４９】
これら機種別ランキングテーブルへのランキング情報の登録（記憶）は、前記ランキングテーブルへの登録（記憶）状況と同様に、前記会員管理コンピュータ１２０が設置されていない遊技場にあっては、遊技場管理者が遊技場用端末であるノートパソコン１５０からサイトサーバ１４にアクセスして後述するランキング管理のメニューを選択することで表示されるランキング管理画面（ページ）のメニューから、「パチンコ機種別ベスト１０」や「パチンコ機種別ワースト１０」、「パチスロ機種別ベスト１０」、「パチスロ機種別ワースト１０」を選択した後、ランキング情報を入力する機種と遊技関連情報とを選択して該選択した機種並びに種遊技関連情報に対応するベストランキング或いはワーストランキングのデータ（台番号、機種名、大当り回数や差玉数等の遊技関連情報）を入力することで、該入力されたデータが機種別ランキングテーブルに記憶されるようになっているとともに、会員管理コンピュータ１２０が設置されている遊技場においては、該会員管理コンピュータ１２０に記憶されている前記遊技関連情報テーブルの記憶情報が所定時間毎に送信されることで更新される管理サーバ１４０の遊技関連情報テーブルに記憶されている遊技関連情報に基づいて、管理サーバ１４０にて機種別ランキング情報が自動的に生成されて前記ランキングテーブルへ記憶されるようになっている。
【００５０】
次に、これら管理サーバ１４０に記憶されている各テーブルの記憶データの記憶や更新が成される流れについて、以下に説明する。
【００５１】
まず、図５（ａ）に示すサイト会員情報テーブルへの登録（記憶）が実施される流れを、図８に基づいて説明すると、これら会員情報テーブルへの登録（記憶）はサイト会員への会員登録により実施されるようになっており、前記サイトサーバ１４による予約サイトの後述するＴＯＰページ（図１１参照）における「会員登録」を、アクセス利用者が選択入力することによりアクセス利用者の情報端末である、例えば携帯電話１６に個人情報入力ページ（図１２参照）が配信されて表示され、個人情報入力ページ（図１２参照）にて個人情報である氏名、生年月日、性別、電子メールアドレスから成る個人情報と、当該アクセス利用者である会員が遊技場会員である場合において該遊技場の会員ＩＤを受付けるサイト会員登録受付けが実施される。
【００５２】
これら個人情報入力ページにてサイトサーバ１４が受付けた、新規サイト会員登録者が選択した遊技場の遊技場名と入力が有る場合には遊技場会員ＩＤと氏名、生年月日、性別、電子メールアドレスから成る入力情報（個人情報）が管理サーバ１４０に送信されることに基づいて、管理サーバ１４０では、新規にサイト会員ＩＤとパスワードを生成してサイトサーバ１４に返信するとともに、該生成したサイト会員ＩＤとパスワードと、サイトサーバ１４から受信した入力情報（個人情報）を対応付けてサイト会員情報テーブルに記憶するとともに、当該記憶したサイト会員ＩＤに対応する遊技場ＩＤと遊技場会員ＩＤの各項目に、サイトサーバ１４から受信した遊技場ＩＤと遊技場会員ＩＤとを対応付けて記憶する。つまりは、このようにして管理サーバ１４０が、遊技者識別情報であるサイト会員ＩＤと当該遊技者に関する属性情報である入力情報（個人情報）とを対応付けて記憶することで、遊技者情報記憶ステップが形成されている。
【００５３】
尚、サイトサーバ１４に返信されたサイト会員ＩＤとパスワードは、ログインページのＵＲＬとともに受付けた電子メールアドレスに対して電子メールにて送信される。
【００５４】
次いで、この遊技場ＩＤと遊技場会員ＩＤとが新規にサイト会員情報テーブルに登録（記憶）された場合には、当該新規登録された遊技場ＩＤにより特定される遊技場に設置されている会員管理コンピュータ１２０に対して、新規登録した遊技場会員ＩＤに対応する遊技場会員の会員属性情報の送信要求を送信する。
【００５５】
この会員属性情報の送信要求を受信した会員管理コンピュータ１２０は、該受信した会員属性情報の送信要求に含まれる遊技場会員ＩＤに一致する記憶が図３に示す会員情報テーブルに存在するか否かを確認し、存在する場合には、会員情報テーブルにおいて受信した遊技場会員ＩＤに対応して記憶されている来店ポイント（Ｐｔ．）や来店回数、並びに郵便番号、住所、電話番号、携帯電話番号、交通手段、趣味、記念日等を含む会員属性情報と当該遊技場会員ＩＤと遊技場ＩＤとを管理サーバ１４０に対して返信する。
【００５６】
この返信に基づいて管理サーバ１４０は、サイト会員情報テーブルにおいて受信した遊技場ＩＤと遊技場会員ＩＤと同一の遊技場ＩＤと遊技場会員ＩＤが記憶されているサイト会員ＩＤを特定し、該特定したサイト会員ＩＤに対応する会員属性情報の各項目に、受信した来店ポイント（Ｐｔ．）や来店回数等を含む各会員属性情報を記憶することで、サイト会員登録時においてサイト会員情報テーブルにて未登録となっている来店ポイント（Ｐｔ．）や来店回数等を含む各会員属性情報が記憶されるようになっている。
【００５７】
また、遊技場に設置されている会員管理コンピュータ１２０からは、図８に示すように、定期的（本実施例では一日の所定時間に１回）に、会員管理コンピュータ１２０が記憶管理している各会員遊技者の来店ポイント（Ｐｔ．）や来店回数等を含む各会員属性情報と遊技場会員ＩＤとを含む更新データが管理サーバ１４０に送信されることで、該更新データを受信した管理サーバ１４０が、受信した更新データに基づいてサイト会員情報テーブルを更新することで、来店ポイント（Ｐｔ．）や来店回数等を含む各会員属性情報が最新のデータに更新、管理される。
【００５８】
尚、本実施例においては、サイト会員登録時におけるアクセス利用者の入力負担を低減するために、最低限の個人情報を受付け、その他の個人属性情報等を会員管理コンピュータ１２０より入手するようにしているが、本発明はこれに限定されるものではなく、いずれの遊技場の遊技場会員となっていないサイト会員の場合において実施しているように、住所や電話番号等の詳細な個人属性情報をサイト会員登録時に受付けて、サイト会員情報テーブルに登録（記憶）するようにしても良い。
【００５９】
次いで、図６（ａ）に示す遊技関連情報テーブルに記憶されている各遊技場の遊技機の遊技関連情報が更新される流れについて、図９に基づいて説明すると、遊技場に設置された会員管理コンピュータ１２０は、前述のように、該会員管理コンピュータ１２０に通信接続されたホールコンピュータ１１０から当該遊技場に設置されている各遊技機（パチンコ機２やスロットマシン）の遊技関連情報を、比較的高頻度となる所定時間毎に入手して図３（ｂ）に示す遊技関連情報テーブルを更新する。
【００６０】
このようにして更新されることで管理されている遊技機（パチンコ機２やスロットマシン）毎の遊技関連情報は、比較的低頻度となる所定時間毎に、該遊技関連情報テーブルに記憶されている各遊技機の遊技関連情報が、対応する台番号並びに遊技場ＩＤを含む更新データとともに管理サーバ１４０に送信されることで、該更新データを受信した（入力された）管理サーバ１４０が、受信した更新データに含まれる遊技場ＩＤと台番号とに対応して図６（ａ）の遊技関連情報テーブルに記憶されている遊技関連情報を更新することで、各遊技場に設置されている全ての遊技機（パチンコ機２やパチスロ）の遊技関連情報、つまりは予約可能な遊技機だけではなく、予約可能ではない遊技機の遊技関連情報も含めて管理されるようになっている。尚、この際、各遊技機の翌日の予約の可否が、前記予約対象台テーブルに記憶されている予約対象情報に基づいて判定されて、該予約の可否が各遊技機に対応する「予約」の項目に記憶される。尚、図６（ａ）には、パチンコ機に対応する遊技関連情報のメニュー内容を示したが、該遊技関連情報テーブルにはスロットマシンに対応する遊技関連情報のメニュー（例えば、ビッグボーナス回数や出メダル数等）も図示しないが設けられている。
【００６１】
つまりは、このようにして管理サーバ１４０が、予約を可能とする遊技機、並びに予約を不能とする遊技機の遊技機識別情報である台番号と当該遊技機での遊技に関連して発生する遊技関連情報を会員管理コンピュータ１２０から受信して受付けることで、遊技関連情報受付ステップが形成され、該遊技関連情報受付ステップにて受付けた会員管理コンピュータ１２０からの遊技機識別情報である台番号と遊技関連情報とを対応付けて遊技関連情報テーブルに記憶することで遊技関連情報記憶ステップが形成されている。そして、これら遊技関連情報記憶ステップにおいて、前述のように、管理サーバ１４０が、各遊技機識別情報である台番号に対応付けて当該遊技機が予約を可能とする遊技機か否かを識別可能な予約可否情報を記憶する。
【００６２】
このようにして会員管理コンピュータ１２０が設置されている遊技場においては、当該遊技場に設置されている各遊技機（パチンコ機２やパチスロ）の遊技関連情報が遊技関連情報テーブルにて管理されていることで、これら各遊技機（パチンコ機２やパチスロ）の遊技関連情報に基づいて、図７（ｂ）のランキングテーブルにおける当該遊技場における各遊技関連情報別のベスト１０やワースト１０のランキングが決定され、該決定された各順位の台番号や機種名や大当り回数、出玉数、確変回数…等の遊技関連情報が自動的に記憶されるようになっているとともに、図３５に示す機種別ランキングテーブルにおける当該遊技場における各機種別の遊技関連情報毎のベスト１０やワースト１０のランキングも決定され、該決定された各順位の台番号や大当り回数、出玉数、確変回数…等の遊技関連情報が自動的に記憶されるようになっている。
【００６３】
次いで、本実施例における管理サーバ１４０の予約対象台テーブルに、予約対象とする遊技機の情報が登録（記憶）される流れについて以下に説明する。尚、本実施例においては、予約対象台を登録（記憶）するルートとして、遊技場管理者がノートパソコン１５０を使用してサイトサーバ１４にアクセスして予約対象とする遊技機を設定するルートと、翌日において予約対象とする遊技機を会員管理コンピュータ１２０から受付けて設定するルートの２つのルートによる予約対象とする遊技機の設定が可能とされている。
【００６４】
これら２つのルートの内、遊技場管理者がノートパソコン１５０を使用してサイトサーバ１４にアクセスして予約対象とする遊技機を設定する場合の流れについては、後述する予約サイトの説明において詳述するものとし、ここでは、会員管理コンピュータ１２０により翌日の予約対象の遊技機の情報が登録（記憶）される流れについて以下に説明する。
【００６５】
まず、本実施例の会員管理コンピュータ１２０において、表示装置１２６に表示されている表示画面上に表示された「設定」のメニュータブを選択し、画面右部に表示されるサブメニュー表示領域に表示されている「予約台条件」のサブメニューを選択することで、図３２に示す予約台条件を設定するための予約台条件設定画面が表示されるようになっており、該予約台条件設定画面において予約対象とする遊技機を抽出するための予約台条件を予め設定しておくことで、該設定された予約台条件を満たす遊技機が抽出されて、その翌日の予約対象台として管理サーバ１４０に送信される。
【００６６】
この本実施例の予約台条件設定画面には、図３２に示すように、画面上方に既に設定されている予約台条件の設定内容が表示される画面上方の設定内容表示エリアと、既存の予約台条件の変更、新規予約台条件の設定を実施するための画面下方の予約台条件設定入力エリアとが設けられている。また画面下方に設けられている機能ボタン域には、「対象予定台」、「新規作成」、「変更」、「削除」、「登録」の各機能メニューが表示されている。
【００６７】
この機能ボタン域に表示されている「新規作成」を選択入力し、予約台条件設定入力エリアにおいて、新規に設定する予約台条件を適用して予約対象とする遊技機の抽出を実施する適用期間と、当該適用期間において予約対象台として抽出する遊技機の条件である予約対象台条件と、予約対象とする上限台数と、当該予約対象とする遊技機の予約を可能とする遊技者の条件である予約対象者条件と、当該予約対象とする遊技機の予約受付けを前記サイトサーバ１４にて開始する時間である予約受付開始時間と、を各項目のポップアップメニューから選択して表示させた後、前記機能ボタン域に表示されている「登録」の機能メニューを選択入力することで、該設定した内容が図示しない予約台条件テーブルに登録（記憶）されることで設定内容表示エリアに表示される。
【００６８】
この予約台条件設定入力エリアにおける予約対象台条件においては、図３２の予約台条件設定入力エリアにおいて表示されているように、確変回数が１０回以上とする設定例以外に、図３２の設定内容表示エリアに表示されている設定例に示すように、大当り回数１０回以上や、出玉上位１０台や、ＣＲ○○△△のように、遊技関連情報に関する条件をはじめ、遊技機の機種を条件としても設定できるようになっている。
【００６９】
また、本実施例の予約対象者条件においては、図３２の予約台条件設定入力エリアにおいて表示されているように、当該遊技場の遊技場会員のみが予約対象の遊技機を予約できるようにするための「遊技場会員」の選択メニューが設けられている他、図３２の設定内容表示エリアに表示されている設定例に示すように、来店ポイントが５０Ｐ以上のように、当該遊技場の遊技場会員であって且つ来店ポイントが所定値以上の遊技場会員のみが予約できるようにするための来店ポイントに関する選択メニューや、当該遊技場の遊技場会員であって且つ来店回数が所定回数以上の遊技場会員のみが予約できるようにするための来店回数に関する選択メニューに加えて、遊技場会員に拘わらず女性であれば予約できるようにするための「女性」等の性別や職業や年齢に関する選択メニューが選択可能とされている。尚、これら予約対象者条件に何も指定しない場合には、遊技場会員並びにサイト会員の全会員が予約可能とされる。
【００７０】
また、設定内容表示エリアに表示されている予約台条件を選択して指定し、機能ボタン域の「変更」の機能メニューを選択入力すると設定内容表示エリアには既に登録（記憶）されている予約台条件の内容が表示され、該設定内容表示エリアにおいて、予約台条件の内容を変更入力した後、「登録」の機能メニューを選択入力することで、変更した予約台条件の内容に予約台条件テーブルの記憶内容が更新されるとともに、設定内容表示エリアに表示されている予約台条件の内容が更新表示される。
【００７１】
また、設定内容表示エリアに表示された任意の予約台条件を選択して指定し、機能ボタン域の「削除」の機能メニューを選択入力することで、予約台条件テーブルから選択された予約台条件のデータが削除されるとともに、当該予約台条件の設定内容表示エリアにおける表示が消去される。
【００７２】
また、機能ボタン域の「対象予定台」の機能メニューを選択入力した場合には、その当日が適用期間に該当する予約台条件に基づいて予約対象台の候補として抽出された遊技機の一覧が、図３３に示すように表示されるようになっており、その時点において予約対象台の候補がどのような状況になっているかを簡便に確認できるようになっている。
【００７３】
また、本実施例では、図３２に示すように、「設定」のメニュータブを選択した場合に表示されるサブメニュー表示領域に、「予約設定確認」のサブメニューが設けられており、該「予約設定確認」のサブメニューを選択することで、図３４に示すように、前記管理サーバ１４０の予約対象テーブルに当該遊技場の遊技場ＩＤに対応して記憶されている予約設定の設定内容が表示されるようになっており、新たに前記予約台条件の設定を実施する際に、既に管理サーバ１４０において設定されている予約設定の設定内容を確認して予約台条件の設定を実施できるようになっている。
【００７４】
このように、会員管理コンピュータ１２０において設定されている予約台条件に基づいて抽出された翌日の予約対象とする遊技機の予約対象台情報は、図１０に示すように、一日の内の予め各遊技場に対応して決められた所定時間、例えば１９時等に、管理サーバ１４０が会員管理コンピュータ１２０に対して、翌日の予約対象台情報の送信要求を送信する。
【００７５】
この予約対象台送信要求を受信した会員管理コンピュータ１２０は、その当日が適用期間に該当する予約台条件を満たすことで抽出された予約対象予定台が存在するか否かを確認する。
【００７６】
そして、該確認において、その当日が適用期間に該当する予約台条件が存在し、該予約台条件を満たすことで抽出された予約対象予定台数が、当該予約台条件にて設定されている上限台数を超過しているか否かを確認し、超過している場合においては、超過していることを表示装置１２６に表示して報知するとともに、これら超過分の間引きを手動において実施するか、或いは自動にて間引き処理を実施するかを受付ける。
【００７７】
該受付けにおいて、自動間引きが選択された際には、予め設定されている間引き方法による間引き処理が実施される。尚、本実施例においては、これら間引き処理の方法としては、遊技関連情報である大当り回数や確変回数や出玉数等に基づいて抽出された予約対象予定台を順位付けし、上限台数を越える下位の予約対象予定台を間引く方法や、上限台数を越える数の予約対象予定台をランダムに間引く方法を選択して設定できるようになっており、これら予め設定された間引き方法により上限台数を越える予約対象予定台の間引きが実施される。
【００７８】
一方、前記受付けにおいて、手動間引きが選択された際には、会員管理コンピュータ１２０の表示装置１２６に、図３３に示す翌日予約対象予定台画面が表示され、該翌日予約対象予定台画面に、その時点において抽出されている予約対象予定台の一覧が表示されることで、該予約対象予定台の一覧より予約対象から除外したい遊技機を選択した後、機能ボタン域に表示されている「削除」を選択入力することで、当該選択された遊技機が一覧から削除され、手動での間引きを実施できるようになっている。
【００７９】
これらの間引きの実施により上限台数以下とされた翌日予約対象予定台の台番号と、予約を可能とする期間として翌日を示す情報と、これら翌日予約対象予定台を抽出する条件である予定台条件に設定されている対象者条件と予約開始時刻と当該遊技場の遊技場ＩＤとを含む予約対象台情報を管理サーバ１４０に送信する。
【００８０】
この予約対象台情報を受信した管理サーバ１４０は、該受信した予約対象台情報に含まれる台番号と対象者条件と予約開始時刻と遊技場ＩＤとを一時記憶した後、受信した予約対象台情報に含まれる遊技場ＩＤと同一の遊技場ＩＤに対応して予約対象台テーブルに記憶されている設定内容を特定し、一時記憶した予約対象台情報に含まれる台番号が、既に予約対象台テーブルに記憶されている設定内容において予約対象となっていないかを確認し、既に予約対象となっている台番号がある場合には、当該台番号を削除する。
【００８１】
例えば、図６（ｂ）に示す予約対象台テーブルにおいて、翌日である１月２７日の予約対象として、予約対象台情報に２２、４６、１２５、２５８…の台番号が含まれていた場合には、１月２７日を予約日とする予約対象台として１〜５０番の台番号の遊技機が既に設定されていることから、２２、４６番の台番号の遊技機は既に予約対象台に設定されているために会員管理コンピュータ１２０から受信した予約対象台情報に基づく予約対象台から削除される。
【００８２】
そして、これら削除後の１〜５０番の台番号以外の１２５、２５８、３６８、４０４…の台番号と、受信した予約対象台情報に含まれる対象者条件と予約開始時刻（翌日の予約受付のために、予約受付期間は一義的に前日からとなる）とを、受信した予約対象台情報に含まれる遊技場ＩＤと予約日（翌日である１月２７日）に対応付けて予約対象テーブルに記憶することで、前記会員管理コンピュータ１２０において設定された予約台条件を満たす遊技機が、自動的に管理サーバ１４０において予約対象台に設定されるようになっている。
【００８３】
以下、本実施例の管理サーバ１４０並びにサイトサーバ１４により構築される予約サイトの内容について、図１１から図２１に基づいて説明する。尚、本実施例では予約者である遊技者は、ノートパソコン１５や携帯電話１６等のインターネットに接続できる情報端末からサイトサーバ１４にアクセスできるが、以下の説明においては、携帯電話１６を用いて予約者である遊技者がアクセスする場合を例に説明する。
【００８４】
まず、予約者である遊技者が携帯電話１６を用いてサイトサーバ１４による予約サイトにアクセスした際には、図１１（ａ）に示すＴＯＰページが携帯電話１６に配信されて表示される。
【００８５】
この本実施例のＴＯＰページには、「会員の方はこちら」、「このページについて」、「全国登録店舗検索」、「会員登録」、「会員規約」、「新着情報」、「お問い合わせ」、「ブックマーク登録」などのメニュー項目が設けられており、これらのメニューからアクセス利用者は所望するメニューを選択することで、これらのメニューにリンクされた予約サイト内の各ページが、サイトサーバ１４の記憶装置１８４の処理プログラムに基づいて配信されるようになっている。
【００８６】
このＴＯＰページにおいて、「新着情報」の項目をアクセス利用者が選択すると、サイトサーバ１４から予約受付会社が宣伝広告やアクセス利用者に対してお知らせしたい情報などが記載されたページが配信されるようになっている。
【００８７】
この本実施例の予約サイトにて提供される台予約サービスを利用する場合には、予めサイト会員の登録を実施する必要があり、既にサイト会員の登録をしているアクセス利用者は、「会員の方はこちら」のメニューを選択して予約サイトにログインして遊技機の予約を実施できるが、サイト会員に未登録のアクセス利用者は、「会員登録」のメニュー項目を選択して会員登録を実施する。
【００８８】
この「会員登録」のメニュー項目をアクセス利用者が選択すると、図１１（ｂ）に示す会員規約に同意するか否かの確認ページが配信される。この図１１（ｂ）に示す確認ページには、「会員規約に同意する」、「規約はこちら」、「戻る」の選択項目が設けられており、該図１１（ｂ）の確認ページにおいて、「規約に同意する」の項目を選択すると、図１１（ｄ）に示す会員登録のページが配信され、「規約はこちら」の項目を選択すると、図１１（ｃ）に示す会員規約が記載されたページが配信される。
【００８９】
この図１１（ｂ）に示す確認ページにおいて「規約はこちら」の項目を選択すると、アクセス利用者が台予約サービスを受けるときの注意事項等を記載した図１１（ｃ）の会員規約のページが配信されるので、遊技者は会員規約の内容を把握できるようになっている。サイト登録を行うためには、会員規約に同意しなければならないので、図１１（ｂ）の確認のページにおいて、「会員規約に同意する」の項目を選択した場合においてのみ、遊技者が会員登録を行うための図１１（ｄ）に示す会員登録ページが配信される。
【００９０】
また、図１１（ｂ）に示す確認のページにおいて、「戻る」の項目を選択すると、１つ前の表示画面である図１１（ａ）のＴＯＰページが再び表示される。この「戻る」の選択項目は、本実施例の予約サイトのほぼ全ての配信ページに設けられており、何れのページにおいても、これら「戻る」の項目を選択すると１つ手前の画面（ページ）が表示されるようになっている。
【００９１】
この図１１（ｄ）に示す本実施例の会員登録のページには、遊技者が予約を希望する遊技場の入力を促すメッセージが表示されるとともに、「地域から探す」、「店舗名から探す」の選択項目が設けられている。該図１１（ｄ）の会員登録のページにおいて、「地域から探す」の項目を選択すると、予約を希望する遊技場を、該遊技場の存在する地域から探せるように、図１１（ｅ）に示す都道府県名と市町村名を入力できるページが表示され、「店舗名から探す」の項目を選択すると、台予約を希望する遊技場を、該遊技場の店舗名（遊技場名）から探せるように、店舗名を入力できるページが配信されて表示される。このように、２つの選択項目が設けられていることによって、遊技者は台予約を希望する遊技場を検索する際に、該当する遊技場の存在する地域から検索するか、該当する遊技場の店舗名から検索するかを選択できるようになっている。
【００９２】
この図１１（ｄ）の会員登録のページにおいて、遊技者が「地域から探す」の項目を選択した場合には、サイトサーバ１４から遊技者の携帯電話１６に図１１（ｅ）に示す店舗検索ページが配信される。この図１１（ｅ）の店舗検索ページには、予約を希望する遊技場が存在する「都道府県名」の入力項目と「市区町村名」の入力項目が設けられており、該ページの「都道府県名」の選択入力項目において、プルダウンメニュー内の都道府県名をプルダウンによって簡便に選択入力できるようになっている。「市区町村名」の入力項目は、フリースペースとなっており、遊技者は携帯電話１６を操作することで、予約を希望する遊技場の存在する市区町村名を手入力できるようになっている。
【００９３】
そして、これら都道府県名と市区町村名を選択並びに入力した後に、該店舗検索ページ内に設けられている「検索」の項目を選択すると、サイトサーバ１４は、該入力された情報を管理サーバ１４０に送信し、管理サーバ１４０は、サイトサーバ１４から送信されてきた「都道府県名」と「市区町村名」とに対応する郵便番号を図示しない郵便番号テーブルから特定し、前記遊技関連情報テーブルにおいて該特定した郵便番号に該当する郵便番号（上位３桁のみ）が記憶されている遊技場ＩＤを抽出し、該抽出した遊技場ＩＤから特定される遊技場名を含む抽出結果をサイトサーバ１４に返信することで、サイトサーバ１４は、図１１（ｇ）に示すように、アクセス利用者の携帯電話１６に管理サーバ１４０により抽出された遊技場の店舗名の一覧を含むページを配信する。尚、サイトサーバ１４の処理プログラムは、管理サーバ１４０から該当する遊技場が存在しない旨の返信を受けた場合には、図１１（ｆ）に示すように、「該当ありません」などの該当する地域にサイト登録できる遊技場がないことを遊技者に伝えるメッセージと、もう一度、「都道府県名」や「市町村名」などの検索条件を入力しなおす旨を伝えるメッセージが記載されたページを配信する。
【００９４】
この図１１（ｇ）に示す店舗名の一覧が表示されたページにおいて、アクセス利用者が予約を希望する遊技場が存在する場合には、当該遊技場の店舗名を選択することで、図１１（ｈ）に示すように、該選択した遊技場に関する詳細情報が記載されたページが配信される。この詳細情報のページには、当該遊技場の「住所」、「遊技場までの交通手段」、「営業時間」、「営業形態」、「定休日」、「台数」などの詳細情報が記載されているとともに、「この店舗で会員登録する。」の選択項目が設けられており、遊技者が詳細情報のページにて表示された遊技場にて台予約を行いたい場合には、この「この店舗で会員登録する。」の項目を選択することで図１２（ａ）に示す、サイト会員の会員登録に必要な個人情報を受付けるための個人情報入力ページが配信される。
【００９５】
この本実施例の個人情報入力ページには、図１２（ａ）に示すように、遊技者の「名前」、「フリガナ」、「生年月日」、「性別」、「遊技場会員ＩＤ」などの入力部（性別においては選択部）が設けられている。
【００９６】
この図１２（ａ）の個人情報入力ページにおいて、アクセス利用者は、「名前」、「生年月日」、「メールアドレス」などの個人情報を入力するとともに、当該アクセス利用者が予約を希望する遊技場の遊技場会員ならば、該遊技場における自分の遊技場会員ＩＤを「遊技場会員ＩＤ」の入力項目に入力することで、該入力した遊技場会員ＩＤに対応して選択した遊技場に設置されている会員管理コンピュータ１２０の会員情報テーブルに記憶されている「名前」、「生年月日」、「メールアドレス」以外の個人情報や来店ポイントや来店回数を含む個人属性情報が該会員管理コンピュータ１２０から取得されて自動登録（記憶）されることで、これら個人情報を入力する手間を省けるようになっている。尚、遊技者が台予約と希望する遊技場の遊技場会員でない場合、つまりは、「遊技場会員ＩＤ」への入力がない場合には、「郵便番号」、「住所」、「電話番号」…等の詳細な個人情報を入力するためのページが別途配信されて、これらの個人情報の受付けが実施される。
【００９７】
アクセス利用者が個人情報を入力し、「次へ」を選択すると図１２（ｂ）に示す登録情報確認のページが配信され、該ページには、アクセス利用者が遊技機の予約を希望する遊技場の店舗名と、アクセス利用者が入力した入力情報の一覧が表示される。そして、アクセス利用者が、当該表示内容を確認した後に該ページに設けられている「登録」を選択すると、サイトサーバ１４から、アクセス利用者より受付けた個人情報や予約を希望する遊技場名や当該遊技場の遊技場会員ＩＤなどの新規登録情報が管理サーバ１４０に送信される。また、アクセス利用者の携帯電話１６には登録完了のメッセージが表示され、遊技者はここで一度情報端末のブラウザを終了してサイトサーバ１４へのアクセスを中断する。
【００９８】
前記新規登録情報の受信に基づいて管理サーバ１４０は、前記サイト会員情報テーブルを参照し、アクセス利用者である新規サイト会員に対して発行する遊技者識別情報であるサイト会員ＩＤとパスワードを生成するとともに、当該アクセス利用者の個人情報や遊技場ＩＤや遊技場会員ＩＤを、該生成したサイト会員ＩＤと対応づけてサイト会員情報テーブルに登録（記憶）するとともに、該生成したサイト会員ＩＤとパスワードとをサイトサーバ１４に返信することで、サイトサーバ１４により、該サイト会員ＩＤとパスワードとサイト会員のログインページのＵＲＬとが含まれた電子メールを図１２（ａ）に示す個人情報入力ページにおいて受付けた携帯電話１６の電子メールアドレス宛てに送信する。
【００９９】
該電子メールの受信に基づいて、該受信した電子メールに含まれるサイトサーバ１４のログインページにリンクされたＵＲＬを選択することで、アクセス利用者は、図１３（ｂ）に示すログインページに簡便にアクセスすることができる。尚、既にサイト会員登録を済ませているサイト会員の場合には、前記ＴＯＰページに設けられている「会員の方はこちら」のメニュー項目を選択することで、該ログインページへ移行できる。
【０１００】
この図１３（ｂ）に示すログインページには、「ＩＤ」、「パスワード」の入力部が設けられており、アクセス利用者は電子メールにて通知された自分のサイト会員ＩＤを「ＩＤ」の入力部に、パスワードを「パスワード」の入力部に入力したのち「ログイン」を選択することで、該入力された「ＩＤ」と「パスワード」を含む認証要求が管理サーバ１４０に送信される。
【０１０１】
該認証要求の受信に基づいて管理サーバ１４０は、前記サイト会員情報テーブルに受信した認証要求に含まれる「ＩＤ」と「パスワード」と一致する登録（記憶）が存在するか否かに基づいてアクセス利用者の認証を実施し、認証結果をサイトサーバ１４に返信することで、認証結果が「認証ＯＫ」である場合においてサイトサーバ１４からアクセス利用者の携帯電話１６に、図１３（ｅ）に示すマイページＴＯＰページが配信される。尚、認証結果が「認証ＮＧ」である場合には、ログインエラーとなり、図１３（ｃ）に示す「ＩＤとパスワードが一致しません。」というエラーメッセージが記載されたエラーページ、または図１３（ｄ）に示す「ＩＤが登録されていません。」というエラーメッセージ記載されたエラーページが配信される。
【０１０２】
このようにしてログインした際には、図１３（ｅ）に示すマイページＴＯＰページが表示される。該マイページＴＯＰページは、アクセス利用者毎に用意されているアクセス利用者専用のＴＯＰ画面（ページ）である。該マイページＴＯＰページには、図１３（ｅ）に示すように、「ブックマーク登録」、「キャンペーン」、「台抽出」、「ＭＹ店舗一覧」、「機種別ランキング」、「ＭＹページ編集」、「サポート」、「ログオフ」などのメニュー項目が設けられており、これら各メニュー項目を選択することで、種々の情報を取得したり、遊技機の予約を実施できるようになっている。
【０１０３】
ここで、アクセス利用者が遊技機の予約（台予約）を実施したい場合には、複数のルート、具体的には、予約したい遊技場である店舗を指定して当該店舗に設置されている遊技機の予約対象台の予約を実施するルートと、予約を実施したい遊技機を、遊技データや機種に基づいて抽出して予約するルートや、ランキング情報を確認して予約するルートが可能とされている。
【０１０４】
まず、通常の予約の流れとしては、アクセス利用者は、図１３（ｅ）に示すマイページＴＯＰページの「ＭＹ店舗一覧」の項目を選択する。該選択に基づいて、サイトサーバ１４は、管理サーバ１４０に対してアクセス利用者のサイト会員ＩＤに対応してサイト会員情報テーブルに記憶されている遊技場の送信要求を送信することで、管理サーバ１４０は、サイト会員情報テーブルにおいて受信したサイト会員ＩＤに対応して記憶されている遊技場ＩＤを全て抽出するとともに、遊技関連情報テーブルにおいて該抽出した遊技場ＩＤに対応して記憶されている遊技場名を抽出して遊技場名を特定し、該特定した全ての遊技場名をサイトサーバ１４に返信することで、サイトサーバ１４は返信されてきた遊技場名が一覧表示される図１３（ｆ）のＭＹ店舗一覧ページをアクセス利用者の携帯電話１６に配信する。
【０１０５】
この図１３（ｆ）に示すＭＹ店舗一覧のページには、アクセス利用者が予約対象の遊技場として登録することで、当該アクセス利用者のサイト会員ＩＤに対応付けてサイト会員情報テーブルに記憶されている全ての遊技場ＩＤから特定される遊技場名（店舗名）の一覧が表示されており、各々の店舗名は店舗情報を記載したページとリンクされている。そして、該ページに表示された店舗名一覧の内、アクセス利用者が遊技機の予約を希望する店舗名を選択（指定）すると、図１３（ｇ）に示すように、選択した遊技場の店舗情報のページが配信される。この店舗情報のページには、「台予約」、「店舗Ｗｈａｔ's  New」、「開店時間、公休日」、「パチンコ全台設置情報」、「パチスロ全台設置情報」、「新台情報」、「景品情報」、「店舗所在地情報」、「台抽出」、「昨日のパチンコベスト１０」、「昨日のパチスロベスト１０」、「昨日のパチンコワースト１０」、「昨日のパチスロワースト１０」などの選択項目が設けられており、アクセス利用者が該選択した遊技場において予約可能とされている遊技機の予約を実施したいときは該店舗情報のページにおいて、「台予約」の項目を選択し、抽出条件にて絞り込んだ遊技機の中から予約したい遊技機を選択して予約をする場合には「台抽出」を、ランキングを把握して該ランキング中の遊技機の中から予約したい遊技機を選択して予約をする場合には「昨日のパチンコベスト１０」、「昨日のパチスロベスト１０」、「昨日のパチンコワースト１０」、「昨日のパチスロワースト１０」の各選択項目を入力する。
【０１０６】
アクセス利用者が「台予約」を選択した場合には、図１４（ａ）に示す指定受付けページが配信される。該指定受付けページには、アクセス利用者が予約したい日付を指定するための「月」、「日」の選択入力項目を有する予約日選択部と、予約を行いたい台の種別が「パチンコ」か「スロット」の何れなのかを選択入力するための種別入力部とが設けられており、該予約日選択部には、デフォルトにおいて翌日の日付が、種別入力部にはパチンコが表示されている。
【０１０７】
該指定受付けページにおいてアクセス利用者が日付と台の種類を指定し、画面（ページ）下に設けられている「次へ」を選択すると、サイトサーバ１４から管理サーバ１４０に対して、当該アクセス利用者から受付けた指定日付と台の種別並びにサイト会員ＩＤと遊技場ＩＤとを含む予約台出力要求が送信され、管理サーバ１４０は、受信した予約台出力要求に含まれる遊技場ＩＤに対応して予約対象台テーブルに記憶されている予約対象設定内容の内、受信した予約台出力要求に含まれる指定日付に該当する日付において予約可能とされ、その当日が予約受付け期間に該当している遊技機（台）の台番号を特定し、該特定した遊技機（台）の台番号と機種名とをサイトサーバ１４に返信することで、図１４（ｄ）に示すように、予約可能な遊技機（台）の台番号とその機種名とが一覧表示される予約可能台ページがサイトサーバ１４により携帯電話１６に配信される。
【０１０８】
つまり、このようにして管理サーバ１４０が、通信回線網を介して接続された遊技者が操作可能な情報端末である携帯電話１６からのアクセスに基づいて、予約可能対象情報である予約対象台テーブルに記憶された予約対象設定内容に基づいて、当該アクセス時点において予約可能な遊技機を特定し、該特定した予約可能な遊技機を特定可能な情報を含む予約対象情報となる予約可能台ページがサイトサーバ１４を介してアクセス利用者に対して配信することで予約対象情報配信ステップが形成されており、この予約対象情報配信ステップにおいて管理サーバ１４０が、前述のように、アクセス利用者から指定を受付けた指定遊技場の遊技場ＩＤ（遊技場識別情報）に対応付けて前記予約対象台テーブルに記憶されている予約対象情報（予約可能対象情報）に基づいて前記アクセス時点において予約可能な遊技機を特定し、該特定した予約可能な遊技機を特定可能な情報を含む予約対象情報となる予約可能台ページをサイトサーバ１４を介してアクセス利用者に配信する。
【０１０９】
尚、この予約台出力要求の受信に際して管理サーバ１４０は、前記特定した予約可能台に対応付けて予約対象台テーブルに記憶されている予約受付時間帯を特定し、その時点での時間帯が特定した予約受付時間帯に該当しない場合には、時間外エラーをサイトサーバ１４に返信することで、図１４（ｂ）に示す「ただいま予約受付時間外です。」等の予約受付時間外であることをアクセス利用者に伝えるメッセージと該遊技場の予約受付時間が記載されたエラーページがサイトサーバ１４から配信されることで、アクセス利用者は予約受付時間に予約を行うように促される。
【０１１０】
また、その時点での時間帯が特定した予約受付時間帯に該当する場合において管理サーバ１４０は、前記特定した予約可能台に対応付けて予約対象台テーブルに記憶されている予約対象条件を特定し、前記予約台出力要求に含まれるサイト会員ＩＤの会員属性情報を前記サイト会員情報テーブルにおいて当該サイト会員ＩＤに対応して記憶されている会員属性情報から特定し、該特定した会員属性情報が前記特定した予約対象条件を満たしているかを判定する。具体的には、例えば予約対象条件が女性であることが条件であればアクセス利用者のサイト会員ＩＤに対応してサイト会員情報テーブルに記憶されている性別が女性であるかを判定する。そして、該判定において、予約対象条件を満たしていない、例えば、予約対象条件が女性であることが条件であるのに対し、アクセス利用者が男性である場合には、対象条件エラーをサイトサーバ１４に返信することで、図１４（ｃ）に示す「予約対象者は女性に限定しております。」等のアクセス利用者が予約対象条件の対象外であることを伝えるメッセージが記載されたエラーページが、サイトサーバ１４からアクセス利用者の携帯電話１６に配信される。つまり、このようにして管理サーバ１４０が、予約要求として受付けた前記図１３（ｂ）で入力された遊技者識別情報であるサイト会員ＩＤに対応付けてサイト会員情報テーブルに記憶されているサイト会員の性別等の属性情報に基づいて、当該遊技者であるアクセス利用者が後述する予約対象条件受付ステップとなる予約可能台の設定ページにて受付けた属性情報に関する条件である予約対象条件、具体的には、例えば女性であることを満たす予約を行うことのできる遊技者であるか否かを判定することで予約対象者判定ステップが形成されている。
【０１１１】
アクセス利用者が予約対象台の予約対象条件と一致し、かつ予約対象時間帯にサイトサーバ１４にアクセスしている場合には、前述の図１４（ｄ）に示すように、予約可能な台の「機種名」に対応付けて「台番号」が一覧表示された予約可能台ページが配信されることにより、アクセス利用者が該ページにおいて予約したい台を選択すると、管理サーバ１４０の遊技関連情報テーブルにおける記憶情報に基づいて、図１４（ｅ）に示すように、当該選択された遊技機（台）の詳細情報が記載されたページが配信される。
【０１１２】
この図１４（ｅ）に示す台の詳細情報のページには、管理サーバ１４０の遊技関連情報テーブルに記憶された情報に基づいて、アクセス利用者が選択した台の前日と前々日の「大当り回数」、「差玉数」、「確変回数」などの遊技関連情報が表示されており、アクセス利用者は、予約の確定に際して、選択した台の前日と前々日の遊技関連情報を確認できるようになっている。つまりは、このようにして管理サーバ１４０が、前述の遊技関連情報記憶ステップにて記憶された予約を可能とする遊技機の遊技関連情報を、サイトサーバ１４を介してアクセス利用者に配信することで遊技関連情報配信ステップが形成されている。
【０１１３】
そして、該詳細情報のページにおいて「次へ」の項目が選択されることに基づいて、選択された遊技機（台）の台番号がサイトサーバ１４を介して管理サーバ１４０に送信される。つまり管理サーバ１４０は、図１３（ｂ）で入力されたサイト会員ＩＤと図１４（ｄ）で選択された台番号とを、予約要求として受付ける。つまり、このようにして管理サーバ１４０が、予約対象情報である予約可能台ページを配信したアクセス利用者から予約を所望する遊技機の遊技機識別情報である台番号と、当該アクセス利用者である遊技者を個々に識別可能な遊技者識別情報であるサイト会員ＩＤと、を予約要求として受付けることにより予約要求受付けステップが形成され、該予約要求受付けステップにおいては、前述のように、管理サーバ１４０が、遊技場用端末となるノートパソコン１５０から後述する予約可能台の設定ページ（図２７（ｅ）参照）にて受付ける予約可能時間となる「予約時間帯」の情報が記憶された予約対象台テーブルの「予約受付期間」から特定される予約可能時間内において予約要求の受付けを実施する。
【０１１４】
該予約要求を受付けた管理サーバ１４０は、当該遊技場においてアクセス利用者が選択した予約したい日付、予約したい台の機種名と台番号と一致する予約が既に前記サイト予約情報テーブルに記憶されていないか否かを確認するとともに、再度、予約希望の台が、予約希望日において予約可能な台であるかや、予約者が予約対象条件を満たしているかを確認（判定）した後、これらの確認において問題がない場合において、サイトサーバ１４を通じて図１４（ｆ）に示すように、アクセス利用者が選択した予約したい日付、予約したい台の機種名と台番号の確認のメッセージが表示されるとともに、予約に必要な料金が表示される予約確認ページが配信されることで予約の実施が許容される。つまり、このようにして管理サーバ１４０が、予約要求として受付けた遊技機識別情報である台番号から識別される遊技機の予約を許容するか否かを判定することにより予約許容判定ステップが形成されており、該予約許容判定ステップにおいては、管理サーバ１４０によって、前述の予約対象者判定ステップとなる予約対象条件に基づく判定において予約を行うことのできる遊技者に該当すると判定されたことを条件に、予約可能ページがアクセス利用者に配信されて予約要求される遊技機の受付けがなされることで、前記予約を許容するか否かの判定が実施されるようになる。
【０１１５】
そして、該予約確認ページにおいて「次へ」の項目を選択すると、図１４（ｇ）に示すように、「パスワード」を入力するパスワード入力部が設けられている決済のページが配信され、アクセス利用者はサイト会員登録に際して電子メールにて通知された前記パスワードをパスワード入力部に入力し、「予約する」の項目を選択することに基づいて、管理サーバ１４０は、当該アクセス利用者のサイト会員ＩＤに対応付けてサイト会員情報テーブルに記憶されているパスワードと入力されたパスワードとを照合して本人確認を実施し、該パスワードが一致した場合において、管理サーバ１４０のサイト予約情報テーブルに予約日と遊技場ＩＤと台番号とアクセス利用者のサイト会員ＩＤと遊技場会員ＩＤが対応づけて記憶される。つまり、このようにして管理サーバ１４０が、前述において予約が許容されたことを条件に、前記予約要求として受付けた遊技機識別情報である台番号と遊技者識別情報であるサイト会員ＩＤとを対応付けてサイト予約情報テーブルに予約情報として記憶することで、予約情報記憶ステップが形成されている。
【０１１６】
そして、管理サーバ１４０は決済サービス会社に設置された決済サーバ１３に対して前記サイト予約情報テーブルの記憶データを含む台予約の代価の決済要求を送信することで、決済サーバ１３においてサイト会員ＩＤに対応して記憶されている決済用残金に基づいて台予約の代価の決済が実施される。尚、アクセス利用者の携帯電話１６には、図１４（ｈ）に示すようにサイトサーバ１４から台の予約が完了した旨を伝えるメッセージが記載された完了ページが配信される。
【０１１７】
尚、図１４（ａ）において指定された日付において予約可能な台が当該遊技場に存在しない場合にあっては、図１４（ｄ）の予約可能台ページにおいて予約可能な台が存在しない旨とその他の遊技場の選択画面（ページ）へのリンク表示が表示されたページが配信されるようになっている。
【０１１８】
また、本実施例ではサイト会員ＩＤの入力を図１３（ｂ）のログインページにて行ない、予約を希望する遊技機の台番号の選択を図１４（ｄ）の予約可能台ページにて行っており、サイト会員ＩＤと台番号とが別々に管理サーバ１４０に送信されているが、本発明はこれに限定されるものではなく、サイト会員ＩＤの入力と台番号の選択を同一のページにて行ったり、連続して配信されるページにて行うことで、サイト会員ＩＤと予約を希望する遊技機の台番号が一緒に管理サーバ１４０に送信されるようにしてもよい。
【０１１９】
また、前述の図１３（ｇ）と同一である図１５（ａ）の店舗情報のページにおいて、アクセス利用者が「パチンコ全台設置情報」の項目を選択すると、管理サーバ１４０は、前記遊技関連情報テーブルにおいて当該店舗情報のページの表示対象となっている遊技場の遊技場ＩＤに対応して記憶されている記憶情報を参照し、該表示対象となっている遊技場に設置されているパチンコ機の総台数や台番号や機種名を抽出し、サイトサーバ１４を通じて、図１５（ｂ）に示すように、該遊技場に設置されているパチンコ機の「総台数」、「台番号」、「機種名」が記載されたパチンコ全台設置情報のページをアクセス利用者の携帯電話１６に配信する。尚、図１５（ｂ）のパチンコ全台設置情報のページには、「予約へ」の選択項目が設けられており、該「予約へ」の項目を選択すると、図１４（ａ）に示した指定受付けページが配信されてアクセス利用者は台予約を行うことができるようになっている。
【０１２０】
次に、アクセス利用者が台予約を希望する遊技場におけるパチンコ機のベスト１０のランキングを知りたい場合について説明する。図１５（ａ）に示すように、店舗情報のページにおいて、「昨日のパチンコベスト１０」の項目を選択すると、図１５（ｃ）に示すアクセス利用者が知りたいランキングの種類を選択するページが配信される。この図１５（ｃ）のページには、「大当り回数」、「差玉数」、「確変回数」の選択項目が設けられており、該ページにおいて、アクセス利用者が「大当り回数」の項目を選択すると、管理サーバ１４０の前記ランキングテーブルにおいて当該遊技場の遊技場ＩＤに対応して記憶されている大当り回数ベスト１０のランキング情報に基づいて、図１５（ｄ）に示す大当り回数ベスト１０のページがアクセス利用者の携帯電話１６に配信される。
【０１２１】
この図１５（ｄ）に示す本実施例の大当り回数ベスト１０のページには、大当り回数のベスト１０に該当する各順位の遊技機の「機種名」と「台番号」に加えて、当該遊技機の前日の「大当り回数」と、当該パチンコ機２が翌日において予約可能である場合において予約が可能であることを特定可能な「予約可」の表示が、前記遊技関連情報テーブルにおける「予約」の項目の記憶内容に基づいて予約が可能か否かが特定されることで表示されるようになっており、アクセス利用者が、ランキングされた各パチンコ機２の順位とともに、当該パチンコ機２の遊技関連情報である前日の大当り回数を簡便に把握できるようになっているとともに、ランキング表示された各パチンコ機２が予約可能であるか否かを把握できるようになっている。
【０１２２】
また、アクセス利用者が台予約を希望する遊技場におけるパチンコ機のワースト１０のランキングを知りたい場合には、図１５（ａ）に示す店舗情報のページにおいて、「昨日のパチンコワースト１０」の項目を選択することで、前記ベスト１０のランキングの場合と同様に、図１５（ｅ）に示すアクセス利用者が知りたいランキングの種類を選択するページにおいてランキングの種類である「大当り回数」、「差玉数」、「確変回数」の各選択項目によるランキング種類の受付けが実施され、例えば、該ページにおいてアクセス利用者が「大当り回数」の項目を選択すると、管理サーバ１４０の前記ランキングテーブルにおいて当該遊技場の遊技場ＩＤに対応して記憶されている大当り回数ワースト１０のランキング情報に基づいて、図１５（ｆ）に示す大当り回数ワースト１０のページがアクセス利用者の携帯電話１６に配信される。
【０１２３】
尚、この大当り回数ワースト１０のページにおいても、図１５（ｄ）に示す大当り回数ベスト１０のページと同様に、各順位の遊技機の「機種名」と「台番号」に加えて、当該遊技機の前日の「大当り回数」と「予約可」の表示が表示されるようになっており、アクセス利用者が、ランキングされた各パチンコ機２の順位とともに、当該パチンコ機２の遊技関連情報である前日の大当り回数を簡便に把握できるようになっているとともに、ランキング表示された各パチンコ機２が予約可能であるか否かを把握できるようになっている。
【０１２４】
これら図１５（ｄ）並びに図１５（ｆ）に示す各ページにおいて「予約可」と表示されたパチンコ機２を予約したい場合においては、該「予約可」と表示されたパチンコ機２をアクセス利用者が選択することで、該選択されたことを特定可能な選択通知と、該選択されたパチンコ機２を特定可能な台番号とを情報端末である携帯電話１６からサイトサーバ１４が受付けることに基づいて、サイトサーバ１４は、該選択されたパチンコ機２の予約要求を受付けるための予約受付け情報となる図１４（ａ）に示す指定受付けページを配信して、当該選択したパチンコ機２を予約する予約日を受付ける。
【０１２５】
該指定受付けページにおける受付けにおいて、指定受付けページにデフォルトで表示されている翌日の予約で良い場合には、アクセス利用者が「次へ」を選択することで、パチンコ機の指定に係わる図１４（ｄ）の予約可能台ページを経由することなく図１４（ｅ）に進んで、選択したパチンコ機２の詳細情報が表示されるようになり、その後の流れについては、前述の図１４（ｆ）から図１４（ｈ）の流れと同一とされることで、図１５（ｄ）並びに図１５（ｆ）に示す各ページにおいて「予約可」と表示された遊技機であるパチンコ機２の予約を、該パチンコ機２を選択することにより簡便に実施できるようになっている。
【０１２６】
次に、アクセス利用者が希望する遊技機の条件を指定して、その条件を満たす台を抽出して予約を実施する場合の流れについて説明すると、これら遊技機の条件を指定した抽出を行いたい場合には、アクセス利用者は、前述の図１３（ｅ）に示す前記マイページＴＯＰページにおいて「台抽出」の項目を選択する。該選択に基づいて管理サーバ１４０は、前記サイト会員情報テーブルにおいて、当該アクセス利用者のサイト会員ＩＤに対応して記憶されている遊技場ＩＤから、当該アクセス利用者が予約対象として登録している遊技場を特定し、該特定した予約対象としている遊技場の店舗名一覧が記載された図１６（ａ）に示す台抽出店舗選択ページを配信して、抽出する対象とする遊技場の指定を受付ける。
【０１２７】
該台抽出店舗選択ページの表示に基づいてアクセス利用者は、抽出対象としたい遊技場に対応して表示されているチェックボックスを選択する。尚、本実施例では、このチェックボックスは、複数選択可能となっており、これらを選択した後に「次へ」を選択することで図１６（ｂ）に示す抽出条件指定ページが配信される。
【０１２８】
この図１６（ｂ）に示す本実施例の抽出条件指定ページには、「抽出対象期間」、「台の種類の選択」、「大当り回数」、「差玉数」、「確変回数」などの抽出したい台の条件を指定する選択入力部が設けられている。「抽出対象期間」の選択入力部は、アクセス利用者が抽出したい台の条件が適応される対象期間を選択する項目となっており、例えば、「前日」、「２日前」、「３日前」などの特定の日付や「２日前まで」、「３日前まで」、「１週間前まで」などの特定の期間を選択入力により指定できるようになっている。また、「台の種類の選択」の選択入力項目は、抽出の対象したい台が「パチンコ」なのか「スロット」なのかを選択でき、「大当り回数」、「差玉数」、「確変回数」などの選択入力項目は抽出条件を指定するための項目となっており、各々の抽出条件と対応づけてチェックボックスが設けられている。このチェックボックスは、複数選択可能となっており、アクセス利用者は自分の指定したい条件の項目のチェックボックスにチェックを入れ、対応するポップアップメニューから選択入力により自分の希望する条件を指定する。例えば、「大当り回数」の選択入力項目ならば「１０回以上」、「差玉数」の選択入力項目ならば「１０００以上」、「確変回数」の選択入力項目ならば「５回以上」などの条件を各々の選択入力項目に選択して表示させる。
【０１２９】
このように、本実施例では、抽出条件を複数選択可能としており、これら複数の抽出条件を選択することで、選択した複数の全ての条件を満たす遊技機が抽出されるようになっていて、アクセス利用者は、より的を絞り込んだ遊技機の抽出を実施できるようになっている。
【０１３０】
このようにして図１６（ｂ）に示す抽出条件指定ページにおいてアクセス利用者が各々の条件を指定して「次へ」を選択すると、サイトサーバ１４からアクセス利用者の指定した条件が管理サーバ１４０に送信されることに基づいて、管理サーバ１４０は、前記遊技関連情報テーブルに記憶している前記台抽出店舗選択ページにて受付けた抽出対象とする遊技場の遊技場ＩＤに対応して記憶されている全ての遊技機を対象として、抽出条件指定ページにおいて指定された期間または日付において指定された条件を満たす遊技機の台番号抽出する。具体的には、アクセス利用者が指定した条件が「大当り回数１０回以上」、「差玉数１０００以上」、「確変回数５回以上」で抽出対象期間「２日前まで」を選択したならば、各遊技場における前日と前々日の２日合わせた大当り回数が１０回以上で且つ差玉数が１０００以上で且つ確変回数５回以上となる台を抽出する。
【０１３１】
そして、これら抽出した台番号に対応する遊技関連情報を遊技関連情報テーブルから読み出すとともに、各台番号の遊技機の機種名と設置されている遊技場名とを特定し、これら遊技場名と機種名と台番号と遊技関連情報とをサイトサーバ１４に送信することでサイトサーバ１４は、該送信されてきた指定された条件を満たす遊技機の台番号と遊技関連情報（大当り回数、差玉数、確変回数）と遊技場名と機種名が一覧表示された図１６（ｃ）に示す抽出結果ページをアクセス利用者の携帯電話１６に配信する。
【０１３２】
つまりは、このようにして管理サーバ１４０が、前述の遊技関連情報記憶ステップにて記憶された予約を不可とする遊技機の遊技関連情報を、サイトサーバ１４を介してアクセス利用者に配信することで、遊技関連情報配信ステップが形成され、該遊技関連情報配信ステップにおいて、管理サーバ１４０が、前述のように、前記遊技関連情報記憶ステップにて遊技関連情報テーブルに記憶された遊技関連情報を、当該遊技関連情報に対応付けて「予約」の項目に記憶されている前記予約可否情報としての「可」、「不可」のデータに基づいて、当該遊技関連情報に対応する遊技機が予約を可能とする遊技機であるか否かを識別可能、具体的には、「予約可」が表示されるように配信する。
【０１３３】
尚、この抽出結果ページにおいても、前述の図１５（ｄ）や図１５（ｆ）に示す大当り回数ベスト１０や大当り回数ワースト１０のページと同様に、各「台番号」に対応付けて当該遊技機が予約可能であるかが、前記遊技関連情報テーブルの「予約」の項目における登録内容に基づいて判定され、予約可能である場合において「予約可」の表示が表示されるようになっており、アクセス利用者が、抽出された各遊技機であるパチンコ機２が予約可能であるか否かを把握できるようになっている。
【０１３４】
そして、これら「予約可」と表示されたパチンコ機２を予約したい場合においては、該「予約可」と表示されたパチンコ機２をアクセス利用者が選択することで、該選択されたことを特定可能な選択通知と、該選択されたパチンコ機２を特定可能な台番号とを情報端末である携帯電話１６からサイトサーバ１４が受付けることに基づいて、サイトサーバ１４は、該選択されたパチンコ機２の予約要求を受付けるための予約受付け情報となる図１４（ａ）に示す指定受付けページを配信して、当該選択したパチンコ機２を予約する予約日を受付ける。
【０１３５】
該指定受付けページにおける受付けにおいて、指定受付けページにデフォルトで表示されている翌日の予約で良い場合には、アクセス利用者が「次へ」を選択することで、パチンコ機の指定に係わる図１４（ｄ）の予約可能台ページを経由することなく図１４（ｅ）に進んで、選択したパチンコ機２の詳細情報が表示されるようになり、その後の流れについては、前述の図１４（ｆ）から図１４（ｈ）の流れと同一とされることで、前記抽出結果ページにて「予約可」と表示された遊技機の予約を、該遊技機を選択することにより簡便に実施できるようになっている。
【０１３６】
次に、アクセス利用者が特定の機種におけるベスト１０のランキングを知りたい場合について説明する。図１３（ｅ）に示す前述したマイページＴＯＰページにおいて、アクセス利用者が「機種別ランキング」の項目を選択することに基づいて、前記サイト会員情報テーブルにおいて、当該アクセス利用者のサイト会員ＩＤに対応して記憶されている遊技場ＩＤから、当該アクセス利用者が予約対象として登録している遊技場を特定し、該特定した予約対象としている遊技場の店舗名一覧が記載された図１７（ａ）に示す機種別ランキング対象店舗選択ページを配信して、種別ランキングの対象とする遊技場の指定を受付ける。
【０１３７】
該機種別ランキング対象店舗選択ページの表示に基づいてアクセス利用者は、種別ランキングの対象としたい遊技場に対応して表示されているチェックボックスを選択する。尚、本実施例では、このチェックボックスは、複数選択可能となっており、これらを選択した後に「次へ」を選択することで図１７（ｂ）に示すランキング条件指定ページが配信される。
【０１３８】
この図１７（ｂ）に示すランキング条件指定ページには、「台の種類の選択」、「機種の選択」、「対象遊技関連情報」、「ランキング対象」などのランキング対象とする機種やランキングするための遊技関連情報等のランキング条件を指定する選択入力項目が設けられており、「台の種類の選択」の選択入力項目は、検索の対象としたい台が「パチンコ」なのか「スロット」なのかを選択できるようになっており、「機種の選択」の選択入力項目は、特定の機種名を選択できるようになっている。また、「対象遊技関連情報」の選択入力項目は、順位づけの対象となる遊技関連情報を選択できるようになっており、例えば、ランキングの対象台がパチンコ機ならば「大当り回数」、「差玉数」、「確変回数」などを指定するための項目となっている。「ランキング対象」の選択入力項目は、ランキングの対象内容として「ベスト１０」或いは「ワースト１０」を選択できるようになっている。
【０１３９】
このようにして図１７（ｂ）に示すランキング条件指定ページにおいて、アクセス利用者が各々の条件を指定して「ランキング」を選択すると、サイトサーバ１４からアクセス利用者の指定した条件が管理サーバ１４０に送信されることに基づいて、管理サーバ１４０は、前記機種別ランキングテーブルを参照する。この機種別ランキングテーブルには、前述のように、前日の各遊技場の機種別のランキングが登録（記憶）されている。管理サーバ１４０は、前記機種別ランキング対象店舗選択ページにて選択された各遊技場の遊技場ＩＤに対応するとともに、ランキング条件指定ページにて指定されたランキング条件に合致するランキング情報を特定して抽出してサイトサーバ１４に返信し、サイトサーバ１４は管理サーバ１４０から返信された情報に基づいて、アクセス利用者の携帯電話１６に図１７（ｃ）に示す機種別ランキング結果ページを配信する。尚、前記機種別ランキング対象店舗選択ページにおいて複数の遊技場が機種別ランキング対象として選択されている場合には、管理サーバ１４０は、機種別ランキング対象として選択されている全ての遊技場の該当するランキング情報を抽出し、該抽出したランキング情報に含まれる遊技機を当該遊技機に対応する遊技関連情報に基づいて再ランキングしたランキング情報をサイトサーバ１４に返信する。
【０１４０】
また、この機種別ランキング結果ページにおいても、前述の図１５（ｄ）や図１５（ｆ）に示す大当り回数ベスト１０や大当り回数ワースト１０のページと同様に、各「台番号」に対応付けて当該遊技機が予約可能である場合において「予約可」の表示が表示されるようになっており、アクセス利用者が、抽出された各遊技機であるパチンコ機２が予約可能であるか否かを把握できるようになっている。
【０１４１】
そして、これら「予約可」と表示された遊技機であるパチンコ機２を予約したい場合においては、該「予約可」と表示されたパチンコ機２をアクセス利用者が選択することで、該選択されたことを特定可能な選択通知と、該選択されたパチンコ機２を特定可能な台番号とを情報端末である携帯電話１６からサイトサーバ１４が受付けることに基づいて、サイトサーバ１４は、該選択されたパチンコ機２の予約要求を受付けるための予約受付け情報となる図１４（ａ）に示す指定受付けページを配信して、当該選択したパチンコ機２を予約する予約日を受付ける。
【０１４２】
該指定受付けページにおける受付けにおいて、指定受付けページにデフォルトで表示されている翌日の予約で良い場合には、アクセス利用者が「次へ」を選択することで、パチンコ機の指定に係わる図１４（ｄ）の予約可能台ページを経由することなく図１４（ｅ）に進んで、選択したパチンコ機２の詳細情報が表示されるようになり、その後の流れについては、前述の図１４（ｆ）から図１４（ｈ）の流れと同一とされることで、前記機種別ランキング結果ページにて「予約可」と表示された遊技機であるパチンコ機２の予約を、該パチンコ機２を選択することにより簡便に実施できるようになっている。
【０１４３】
次に、アクセス利用者が台予約を希望する遊技場における新台情報を閲覧したい場合について説明すると、図１３（ｇ）に示す前述した店舗情報のページにおいて、「新台情報」の項目を選択することに基づいて、管理サーバ１４０は、前記告知情報テーブルにおいて当該表示対象となっている遊技場の遊技場ＩＤに対応して新台情報の項目に記憶されているメッセージデータを読み出して、サイトサーバ１４に送信することにより、サイトサーバ１４は、図１８（ａ）に示すように、管理サーバ１４０から送信されてきたメッセージデータに基づく告知メッセージが記載された新台情報ページをアクセス利用者の携帯電話１６に配信する。この図１８（ａ）に示す新台情報のページには、当該遊技場が宣伝したい新台に関する情報などが表示されるとともに、図１４（ａ）に示した指定受付けページにリンクされた「予約する」の項目が設けられており、アクセス利用者が「予約する」の項目を選択すると、図１４（ａ）に示した指定受付けページが配信されて、告知された新台の予約を簡便に実施できるようになっている。
【０１４４】
次に、アクセス利用者が台予約を希望する遊技場における景品情報を閲覧する場合について説明すると、図１３（ｇ）に示すように、前述した店舗情報のページにおいて、「景品情報」の項目を選択することに基づいて、管理サーバ１４０は、前記告知情報テーブルにおいて当該表示対象となっている遊技場の遊技場ＩＤに対応して景品情報の項目に記憶されているメッセージデータを読み出して、サイトサーバ１４に送信することにより、サイトサーバ１４は、図１８（ｂ）に示すように、管理サーバ１４０から送信されてきたメッセージデータに基づく告知メッセージが記載された景品情報ページをアクセス利用者の携帯電話１６に配信する。
【０１４５】
次に、アクセス利用者が台予約を希望する遊技場を新たに登録する場合について説明すると、前述の図１３（ｅ）と同一の図１９（ａ）に示すマイページＴＯＰページにおいて、「ＭＹページ編集」の項目内には、「登録店舗追加」、「登録店舗削除」、「会員情報変更」、「退会」のサブメニュー項目が設けられている。そして、該１９（ａ）に示す「登録店舗追加」の項目を選択すると、該選択に基づいて管理サーバ１４０は、アクセス利用者のサイト会員ＩＤに対応付けられて前記サイト会員情報テーブルに記憶されている遊技場ＩＤの件数を確認する。本実施例においては、サイト会員は、予約対象とする遊技場として最大５つの遊技場を登録できることから、サイト会員情報テーブルにおいては１つのサイト会員ＩＤに対し、最大で５件までの遊技場ＩＤが登録できるようになっていて、アクセス利用者がすでに５店舗登録している場合、つまりは既に５つの遊技場ＩＤが記憶されている場合には、管理サーバ１４０から追加登録不可の旨がサイトサーバ１４に返信されることで、サイトサーバ１４は１９（ｂ）に示すように「新規に登録する場合は現在登録している店舗を１店舗削除して下さい。」のメッセージの記載されたページを配信する。一方、アクセス利用者の登録している店舗（遊技場）が５店舗未満ならば図１９（ｃ）に示すように登録したい遊技場を検索するページを配信する。
【０１４６】
この図１９（ｃ）に示す本実施例の検索ページには、「地域から探す」、「店舗名から探す」の選択項目が表示され、アクセス利用者が店舗を検索するには、登録したい店舗をどちらの方法で検索するか選択できる。そして、該ページにおいて「地域から探す」の項目を選択すると、図１９（ｄ）に示すように、「都道府県名」の選択入力項目と「市区町村名」の入力項目が設けられた地域から探すページが配信される。
【０１４７】
この図１９（ｄ）に示す地域から探すページにおいて、「都道府県名」には、アクセス利用者が新しく登録したい遊技場の存在する都道府県名を選択入力するとともに、「市区町村名」の入力項目には、新しく登録したい遊技場の存在する市区町村名を手入力する。
【０１４８】
そして、これら都道府県名と市区町村名を選択並びに入力した後に、該ページ内に設けられている「検索」の項目を選択すると、サイトサーバ１４は、該入力された情報を管理サーバ１４０に送信し、管理サーバ１４０は、サイトサーバ１４から送信されてきた「都道府県名」と「市区町村名」とに対応する郵便番号を図示しない郵便番号テーブルから特定し、前記遊技関連情報テーブルにおいて該特定した郵便番号に該当する郵便番号（上位３桁のみ）が登録されている遊技場ＩＤを抽出し、該抽出した遊技場ＩＤから特定される遊技場名を含む抽出結果をサイトサーバ１４に返信することで、サイトサーバ１４は、図１９（ｅ）に示すように、アクセス利用者の携帯電話１６に管理サーバ１４０が遊技関連情報テーブルから抽出した店舗名の一覧が記載されたページを配信する。
【０１４９】
該配信された図１９（ｅ）に示す店舗名一覧のページには、アクセス利用者が入力した条件と一致する地域の遊技場の店舗名が１０件づつ表示される。条件と一致する遊技場が１０件を越える場合には、「次へ」の項目を選択すると、入力された地域に存在する他の店舗名の一覧が記載された図１９（ｆ）のページが配信される。そして、これら図１９（ｅ）や図１９（ｆ）の店舗名の一覧のページにおいて、アクセス利用者が店舗名を選択すると、図１９（ｇ）に示す該当する遊技場を登録するか否かの確認のページが配信される。この確認のページにおいて、アクセス利用者が「はい」の項目を選択すると、図１９（ｈ）に示す遊技場会員ＩＤの入力ページが配信される。既にアクセス利用者が新しく登録する遊技場の遊技場会員ならば、該当する遊技場で使用している自分の遊技場会員ＩＤを「遊技場会員ＩＤ」の入力項目に入力する。また、アクセス利用者が台予約とを希望する遊技場の遊技場会員でなければ、「遊技場会員ＩＤ」の入力項目は空白のままにしておく。
【０１５０】
そして、図１９（ｈ）に示す遊技場会員ＩＤの入力ページにおいて、アクセス利用者が「登録」の選択項目を選択することに基づいて、管理サーバ１４０は、前記サイト会員情報テーブルに、アクセス利用者のサイト会員ＩＤと対応づけて、前記した図１９（ｅ）または図１９（ｆ）にて選択された新しく登録する遊技場の遊技場ＩＤを登録（記憶）する。尚、該登録の際にアクセス利用者が該当する遊技場の遊技場会員ＩＤを入力したならば、遊技場会員ＩＤが、サイト会員ＩＤと対応付けられて登録（記憶）される。登録が完了すると、サイトサーバ１４はアクセス利用者の携帯電話１６に、図１９（ｉ）に示す登録完了のページを配信する。（ｉ）の登録完了のページには、「登録が完了しました。」のメッセージと「マイページＴＯＰへもどる」の項目が表示され、「マイページＴＯＰへもどる」の項目を選択すると、図１９（ａ）に示すマイページＴＯＰが配信されるようになっている。
【０１５１】
また、アクセス利用者が新たに登録したい遊技場を、登録希望遊技場の店舗名に基づいて検索する場合について説明すると、図２０に示すように、前述した図１９（ｃ）と同様の図２０（ｃ）の検索ページにおいて、「店舗名から探す」の項目を選択すると、図２０（ｄ）の店舗名から探すページが配信されることにより、当該ページに設けられている「店舗名」の入力項目に新しく登録したい遊技場の「店舗名」を手入力した後、図２０（ｄ）に示すようにページ内の「検索」の項目を選択することに基づいて、管理サーバ１４０は、アクセス利用者が入力した「店舗名」と同じ文字列が含まれている店舗名（遊技場名）が記憶されている遊技場ＩＤを前記遊技関連情報テーブルから全て抽出し、抽出された遊技場の店舗名（遊技場名）をサイトサーバ１４に返信することにより、サイトサーバ１４は、図２０（ｅ）に示すように、アクセス利用者の携帯電話１６に管理サーバ１４０が遊技関連情報テーブルから抽出した店舗名の一覧が記載されたページを配信する。
【０１５２】
図２０（ｅ）の店舗名の一覧のページには、アクセス利用者が入力した「店舗名」と同じ文字列が含まれている店舗名が付いている遊技場が１０件づつ表示される。条件と一致する遊技場が１０件を越える場合には、「次へ」の項目を選択すると、条件と一致する他の店舗名の一覧が記載された図２０（ｆ）のページが配信される。この店舗名の一覧のページにおいて、アクセス利用者が店舗名を選択して指定した以降の流れは、前述の図１９（ｇ）から図１９（ｉ）の場合と同様とされ、これら図２０（ｅ）或いは図２０（ｆ）のページにて選択した遊技場の遊技場ＩＤ（遊技場ＩＤの受付けがあれば遊技場ＩＤも含む）が、当該アクセス利用者のサイト会員ＩＤに対応付けて前記サイト会員情報テーブルに記憶される。
【０１５３】
次に、アクセス利用者がサイト登録した自分の会員情報（個人情報）の変更を行う場合について説明すると、前述の図１３（ｅ）と同一の図２１（ａ）に示すマイページＴＯＰページにおいて、「ＭＹページ編集」の項目内には、「会員情報変更」の選択項目が設けられている。この「会員情報変更」の項目を選択に基づいて、管理サーバ１４０は、アクセス利用者のサイト会員ＩＤに対応付けられてサイト会員情報テーブルに記憶されている会員情報（個人情報）を抽出し、サイトサーバ１４に送信することで、該サイトサーバ１４は、該受信した会員情報（個人情報）に基づいて、現在記憶されているアクセス利用者の「郵便番号」、「住所」、「メールアドレス」などの会員情報（個人情報）が表示された図２１（ｂ）に示す会員情報変更のページを配信する。
【０１５４】
この会員情報変更のページの表示に基づいて、アクセス利用者は、表示された情報の内、例えば、自分の住所の情報を変更したい場合には、図２１（ｂ）のページに表示された「住所」を選択すると、図２１（ｃ）に示すように、住所の入力項目が設けられた住所入力ページが配信される。
【０１５５】
この図２１（ｃ）に示す住所入力ページにおいて、アクセス利用者が「住所」の入力項目に変更したい住所を手入力し、「変更」を選択すると、図２１（ｄ）に示す変更後のアクセス利用者の会員情報（個人情報）の確認ページが配信される。そして、該確認ページにおいて「確認」を選択することに基づいて管理サーバ１４０は、サイト会員テーブルにアクセス利用者のサイト会員ＩＤと対応づけて記憶されている住所を、住所入力ページにおいて受付けた新たな住所に更新する。そして該更新に基づいてサイトサーバ１４はアクセス利用者の携帯電話１６に図２（ｅ）に示すように、「会員情報の変更が完了しました。」のメッセージと「マイページＴＯＰへ」の項目が表示された変更完了のページを配信する。
【０１５６】
次に、本実施例のサイトサーバの遊技場管理者用サイトに遊技場管理者がアクセスして、遊技場における予約可能台を設定する流れや、会員管理コンピュータ１２０が設けられていない遊技場がランキング情報を入力する流れや、その時点における予約状況等を確認する流れ等について、図２２から図３０を用いて以下に説明する。
【０１５７】
本実施例では、図２２（ａ）に示すように、遊技場管理者が遊技場用端末となるノートパソコン１５０において、予め定められた遊技場管理者用サイトのＵＲＬを入力することで遊技場管理者用サイトにアクセスすると、図２２（ｂ）に示す管理画面（ページ）入り口のページが配信されて表示される。
【０１５８】
この管理画面（ページ）入り口のページには、図２２（ｂ）に示すように、遊技場管理者に対して予め予約受付会社がから発行された「遊技場ＩＤ」と「パスワード」を入力するための入力部が設けられおり、該入力部に「遊技場ＩＤ」と「パスワード」を入力した後、「ログイン」を選択することに基づいて、管理サーバ１４０において、図示しない管理者用テーブルに入力された「遊技場ＩＤ」に対応して記憶されているパスワードと入力部に入力された「パスワード」との照合が実施され、照合が一致した場合においてサイトサーバ１４から遊技場管理者の情報端末であるノートパソコン１５０に、図２２（ｄ）に示す管理画面（ページ）が配信される。尚、パスワードが一致しない場合には、ログインエラーとなり、「ＩＤとパスワードが一致しません。」などのエラーメッセージが記載された図２２（ｃ）のページが配信されることで、図２２（ｄ）に示す管理画面（ページ）には、当該遊技場の遊技場管理者以外がアクセスできないようになっている。
【０１５９】
この図２２（ｄ）に示す本実施例の管理画面（ページ）は、各遊技場毎に用意されており、該管理画面（ページ）には、「会員管理」、「データ管理」、「メール配信」、「サポート管理」、「予約管理」、「新台管理」、「景品管理」、「Ｗｈａｔ's  New」、「ランキング管理」、「台管理」、「アクセス管理」、「店舗管理」などのメニュー項目が選択可能に設けられている。ま図２２（ｄ）の管理画面（ページ）において、「サポート管理」の項目には、サイト会員から遊技場に問い合わせがあった場合に印しが点灯されることで、サイト会員から遊技場に問い合わせがあったことが報知される。
【０１６０】
この図２２（ｄ）の管理画面（ページ）において、「会員管理」の項目を選択すると、該選択に基づいて管理サーバ１４０は、アクセスしてきた遊技場管理者が所属する遊技場を予約対象として登録しているサイト会員である遊技者、つまりは、当該アクセス中の遊技場管理者が所属する遊技場の遊技場ＩＤがサイト会員情報テーブルに記憶されているサイト会員に関する情報を抽出並びに集計してサイトサーバ１４に送る。サイトサーバ１４は、管理サーバ１４０から送られてきた抽出情報に基づいて、図２２（ｅ）に示すように、現在の総登録数、総登録会員数内の男性の人数や女性の人数、年齢別の人数、携帯のキャリアの人数などが表記された登録会員のプロパティのページを遊技場管理者のノートパソコン１５０に配信する。
【０１６１】
次に、図２２（ｄ）の管理画面（ページ）において、「データ管理」の項目を選択することで、遊技場管理者は、遊技場用端末であるノートパソコン１５０に、自己が所属する遊技場を予約対象として登録しているサイト会員に関する情報を、所定のタグファイル等にてダウンロードできるようになっており、該「データ管理」の項目を選択することで、「全会員」または「検索した会員」を選択する項目の他に、「性別」、「年齢」、「趣味格好」、などの選択入力項目が設けられているファイルダウンロードのページが配信されることで、データを取得する対象を絞ってダウンロードすることができるようになっている。
【０１６２】
この図２３の（ｂ）に示すファイルダウンロードページにおいて、遊技場管理者がサイト会員情報をダウンロードするときに、全会員の情報を対象とするときには、「全会員」のチェックボックスを選択した後、「検索」を選択する。また、遊技場管理者が特定の条件のサイト会員の情報を対象としてダウンロードしたい場合には、「検索した会員」のチェックボックスを入れて各々の項目に必要な会員の検索条件を選択入力し、「検索」を選択することで、当該遊技場を予約対象として登録しているサイト会員の中から、選択入力した検索条件に合致したサイト会員の情報が管理サーバ１４０により抽出される。そして、サイトサーバ１４は、図２３（ｃ）に示すダウンロードの確認ページを配信してダウンロードの要否を受付ける。
【０１６３】
そして該ダウンロードの確認ページにて「はい」の選択項目が選択されることに基づいて、図２３（ｄ）の保存先を指定する画面（ページ）が配信されて表示され、該保存先指定画面（ページ）において保存先を指定してＯＫを選択すると、前記にて管理サーバ１４０のサイト会員情報テーブルから抽出された検索条件に合致したサイト会員の情報を含むタグデータファイルが、遊技場管理者が使用しているノートパソコン１５０に送信されて、指定された保存先に保存される。
【０１６４】
次に、遊技場管理者がリンク生成を行う場合について説明する。図２４（ａ）に示す管理画面（ページ）（前記図２２（ｄ）と同一）において、遊技場管理者が「メール配信」の項目を選択すると、図２４（ｂ）に示すように、「リンク生成」、「メールマガジン生成、配信」の選択項目が設けられたメール配信ページが配信される。そして、該ページにおいて、「リンク生成」項目を選択すると、図２４（ｃ）に示すように、「リンク生成ＩＤ」、「ＵＲＬ」、「コメント」の入力項目が設けられているとともに、「年月」、「ＩＤ」、「クリック数」、「コメント」、「メール添付ＵＲＬ」、「移動先ＵＲＬ」、「生成日」、「編集」の項目が設けられたリンク生成のページが配信される。
【０１６５】
この図２４（ｃ）示すリンク生成のページにおいて、「年月」を選択すると、管理サーバ１４０の管理者用テーブル（図示せず）に基づいて、該当する年月に生成されたリンクの一覧が画面（ページ）下に表示される。遊技場管理者が、新たにリンクを生成するためには、必要な情報を「リンク生成ＩＤ」、「ＵＲＬ」、「コメント」の入力項目に手入力で入力し、「追加」の項目を選択すると、新しく生成されたリンクが、管理サーバ１４０の管理者用テーブルに記憶され、図２４（ｃ）のリンク生成のページの該当する年月のリンクの一覧に挿入されて表示される。また、該ページにおいて、リンクの一覧内の編集したいリンクを選択して「編集」の項目を選択すると、図２４（ｄ）に示すリンク編集ページが配信されることで、該リンク編集ページにおいて「リンクＩＤ」にて編集したいリンクを指定し、「ＵＲＬの入力項目」、「コメントの入力項目」に新しい情報を入力することで、リンクの内容を変更できるようになっている。
【０１６６】
次に、遊技場管理者がメールマガジン生成、配信を行う場合について説明する。これらメールマガジン生成、配信を行う場合には、図２５（ａ）に示す管理画面（ページ）（前記図２２（ｄ）と同一）に示すように「メール配信」の項目を選択する。この「メール配信」の項目を選択することに基づいて、「リンク生成」、「メールマガジン生成、配信」の選択項目を有する図２５（ｂ）に示すメール配信ページが配信される。そして、該ページにおいて「メールマガジン生成、配信」の項目を選択すると、図２５（ｃ）に示すように、配信可能人数の設定部や、「入会日指定」、「性別指定」、「年齢指定」、「趣味格好指定」、「送信日時指定」の選択入力項目、並びに「題名」、「本文」の入力部を有するメールマガジン生成、配信ページが配信される。
【０１６７】
この図２５（ｃ）に示すメールマガジン生成、配信ページにおいて、メールマガジンの生成を行う際には、まず「入会日指定」、「性別指定」、「年齢指定」、「趣味格好指定」、「送信日時指定」を選択入力することにより、遊技場管理者が、メールマガジンを配信したいサイト会員の指定を行い、メールマガジンの「題名」及び「本文」を入力項目に手入力する。そして送信確認のチェックボックスにチェックし、当該メールマガジン生成、配信ページに設けられている「次へ」を選択すると、図２５（ｄ）に示す確認のページが配信される。この確認のページには、「配信総数」、「配信内容」が表示され、該確認ページに設けられている「送信」を選択することで、指定されたメールマガジンに関する情報がサイトサーバ１４に送られることにより、各サイト会員に配信される。そして、正常に送信されたならば「正常に送信出来ました。」のメッセージが記載された図２５（ｅ）のページが配信された後、図２５（ａ）の管理画面（ページ）が再び配信されて該管理画面（ページ）に戻る。尚、図２５（ｄ）の確認ページにおいて、「送信」を選択したときに、送信エラーが発生した場合には、図２５（ｆ）のエラーメッセージが表示された後、図２５（ｃ）のメールマガジン生成、配信ページが再び配信されるようになっている。
【０１６８】
次に、遊技場管理者が予約状況の管理を行う場合ついて説明する。これら予約状況の管理を行う場合には、図２６（ａ）に示す管理画面（ページ）（前記図２２（ｄ）と同一）に示すように「予約管理」の項目を選択する。この「予約管理」の項目を選択することに基づいて、図２６（ａ）に示すように、「予約状況」、「スケジュール管理」の選択項目を有する予約管理のページが配信される。該ページにおいて、「予約状況」の項目を選択すると、図２６（ｃ）に示すようにカレンダが表示された予約状況の確認ページが配信され、該確認ページにおけるカレンダ内の日付を選択することに基づいて、管理サーバ１４０のサイト予約情報テーブルにおいて、該カレンダ上にて指定された日付に一致する予約が特定されて、当該遊技場管理者が所属する遊技場の遊技機への予約状況が表示された予約状況ページが配信される。
【０１６９】
この図２６（ｄ）に示す予約状況ページには、「台番号」、「会員名」、「会員番号」、「ＭＡＩＬアドレス」が表示されるとともに、「メール」、「削除」の選択項目が設けられており、「メール」の項目を選択クするとメールソフトが起動することで、該予約者に対して電子メールを送信できるようになる。また、キャンセルなどの連絡があった場合には、「削除」の項目を選択すると、管理サーバ１４０のサイト予約情報テーブルから該当する予約が消去されることに基づいて、サイトサーバ１４から図２６（ｆ）に示すように、「削除します。」のメッセージが記載されたページが配信される。
【０１７０】
次に、遊技場管理者が自己の所属する遊技場に設置されている遊技機の予約可能台の管理を行う場合ついて説明する。これら予約可能台の管理を行う場合には、図２７（ｂ）に示す予約管理のページにおいて、「スケジュール管理」の項目を選択する。この「スケジュール管理」の項目を選択することに基づいて、図２７（ｃ）に示す台の種別を選択するページが表示され、スケジュール管理を行いたい台が「パチンコ」なのか「スロット」なのかを選択できるようになっている。そして、該ページにおいて、台の種別を選択して「選択」の項目を選択入力すると、図２７（ｄ）のスケジュール管理ページが配信される。
【０１７１】
この図２７（ｄ）に示すスケジュール管理ページには、カレンダが表示されており、カレンダ内の日付を選択（クリックまたはドラック）し、「設定する」の項目を選択すると、図２７（ｅ）に示すように、該当する期間の予約可能台の設定ページが配信される。
【０１７２】
この予約可能台の設定ページには、図２７（ｅ）に示すように、「予約期間」、「予約時間帯」、「台番号」、「予約対象条件」の各入力部が設けられており、各入力部に予約可能台に関する設定内容を選択、或いは入力して表示させた後、「設定する」の項目を選択入力することで、前記スケジュール管理ページのカレンダで選択された日付を予約可能とする期間としてサイトサーバ１４から管理サーバ１４０に送信するとともに、前記予約可能台の設定ページにおいて受付けられた「予約期間」、「予約時間帯」、「台番号」、「予約対象条件」の各情報と、アクセス中の遊技場管理者が所属する遊技場の遊技場ＩＤとがサイトサーバ１４から管理サーバ１４０に送信されることで、管理サーバ１４０の前記予約対象台テーブルにおいて、サイトサーバ１４から送信されてきた遊技場ＩＤに対応付けて、カレンダから選択された「日付」の情報が「予約日」に、「台番号」の情報が「予約対象台番号」に、「予約対象条件」の情報が「予約対象条件」に、「予約期間」の情報が「予約受付期間」に、「予約時間帯」の情報が「予約受付時間帯」に、それぞれ登録（記憶）されることで、これら登録（記憶）された内容に基づいた予約の受付けが、前述のように実施されるようになる。
【０１７３】
つまり、このようにして管理サーバ１４０が、遊技場関係者が操作可能な遊技場用端末であるノートパソコン１５０からサイトサーバ１４を介して、各遊技場に設置されている遊技機の予約を可能とする期間を特定可能な情報である前記スケジュール管理ページのカレンダで選択された日付と、当該期間において予約を可能とする遊技機を個々に識別可能な遊技機識別情報である前記予約可能台の設定ページにおける台番号と、を予約可能対象情報として受付けることで予約可能対象情報受付ステップが形成されている。
【０１７４】
また、本実施例では、前述のようにアクセス中の遊技場管理者が所属する遊技場の遊技場ＩＤとがサイトサーバ１４から管理サーバ１４０に送信されることで、管理サーバ１４０は、これら予約可能対象情報受付ステップにおいて、遊技場を個々に特定可能な遊技場識別情報である遊技場ＩＤと前記予約可能対象情報とを受付けている。
【０１７５】
また、このように、予約可能対象情報である遊技場管理者により前記カレンダから選択された「日付」の情報が「予約日」に、予約可能対象情報である「台番号」の情報が「予約対象台番号」に記憶されることで前記予約可能対象情報記憶ステップが形成されている。
【０１７６】
また、本実施例では、この予約可能対象情報記憶ステップにおいて前述のように、サイトサーバ１４から受信したアクセス中の遊技場管理者が所属する遊技場の遊技場ＩＤと前記予約可能台の設定ページにおける台番号等の情報から成る予約可能対象情報とを対応付けて記憶する。
【０１７７】
また、本実施例では前述のように、管理サーバ１４０が、遊技場管理者から予約要求の受付けを実施する予約可能時間となる「予約時間帯」を、遊技場用端末となるノートパソコン１５０からサイトサーバ１４を介して受付けることにより予約可能時間受付ステップが形成されている。
【０１７８】
また、本実施例では前述のように、管理サーバ１４０が、遊技場管理者から予約を行うことのできる遊技者条件としての前記属性情報に関する条件である「予約対象条件」の情報を遊技場用端末となるノートパソコン１５０からサイトサーバ１４を介して受付けることにより予約対象条件受付ステップが形成されている。
【０１７９】
また、本実施例では、この図２７（ｅ）に示す予約可能台の設定ページの下部位置に、「編集する」の選択入力部が設けられており、該「編集する」の選択入力部を選択することにより、図２７（ｅ）に示すスケジュール管理ページの各入力部には、既に予約対象台テーブルに登録（記憶）されている設定内容が「編集する」を選択入力することに伴って順次表示されるようになっており、遊技場管理者は、既に設定されている予約可能台の設定内容を変更したい場合には、これら「編集する」を選択入力することで、変更を行いたい予約可能台の設定内容を設定ページに表示させ、該表示された変更を行いたい設定内容の変更を実施した後に、「設定する」の項目を選択入力することで、予約対象台テーブルの記憶内容が該変更後の設定内容に更新される。尚、これらの編集による変更は、既に予約受付け期間内に入っているものは不可とされている。
【０１８０】
次に、遊技場管理者が新台情報と景品情報の更新を行う場合について説明する。これら新台情報と景品情報の更新を行う場合には、図２８（ａ）に示す管理画面（ページ）（前記図２２（ｄ）と同一）に示すように「新台管理」の項目を選択する。この「新台管理」の項目を選択することに基づいて、図２８（ｂ）に示すように、遊技場管理者がアクセス利用者に対して宣伝したい新台情報を入力できる入力部を有する新台情報更新ページが配信される。
【０１８１】
遊技場管理者は、この新台情報更新ページにおいて予約サイトのアクセス利用者に告知（宣伝）したい新台情報（予約を可能とする遊技機に関する告知情報を含む）を入力部に手入力で入力した後、「更新」の項目を選択することに基づいて管理サーバ１４０に送信され、遊技場管理者が入力した情報が管理サーバ１４０の告知情報テーブルにおいて、アクセス中の遊技場管理者が所属する遊技場の遊技場ＩＤに対応する新台情報に登録（記憶）される。これら管理サーバ１４０の告知情報テーブルに登録（記憶）された情報（メッセージ）は、アクセス利用者が前述の店舗情報のページにおける「新台情報」を選択することで、前述のように携帯電話１６やノートパソコン１５に配信されることで閲覧されるようになる。尚、新台情報更新ページにおいて、「リセット」の項目を選択すると、前記入力部の表示内容が全て消去される。
【０１８２】
つまり、このようにして管理サーバ１４０が、前述した予約可能対象情報受付ステップにて受付けた情報である予約対象台テーブルに記憶された予約対象情報から特定される予約を可能とする遊技機に関する告知情報を遊技場用端末としてのノートパソコン１５０からサイトサーバ１４を介して受付けることで告知情報受付ステップが形成され、該告知情報受付ステップにて受付けた告知情報を告知情報テーブルに登録（記憶）することで、告知情報記憶ステップが形成され、該告知情報記憶ステップに記憶した告知情報である新台情報のページをサイトサーバ１４を介してアクセス利用者に対して配信することで、告知情報配信ステップが形成されている。
【０１８３】
また、図２８（ａ）管理画面（ページ）において、「景品管理」の項目を選択した場合には、図２８（ｃ）に示すように、遊技場管理者がアクセス利用者に対して宣伝したい景品情報を入力できる入力部を有する景品情報更新ページが配信される。
【０１８４】
遊技場管理者は、この景品情報更新ページにおいて予約サイトのアクセス利用者に告知（宣伝）したい景品情報を入力部に手入力で入力した後、「更新」の項目を選択することに基づいて、遊技場管理者が入力した情報が管理サーバ１４０の告知情報テーブルにおいて、アクセス中の遊技場管理者が所属する遊技場の遊技場ＩＤに対応する景品情報に登録（記憶）される。これら管理サーバ１４０の告知情報テーブルに登録（記憶）された情報（メッセージ）は、アクセス利用者が前述の店舗情報のページにおける「景品情報」を選択することで、前述のように携帯電話１６やノートパソコン１５に配信されることで閲覧されるようになる。尚、新台情報更新ページにおいて、「リセット」の項目を選択すると、前記入力部の表示内容が全て消去される。
【０１８５】
次に、遊技場管理者がランキング情報の更新を行う場合について説明する。尚、これらランキング情報の更新は、遊技場に会員管理コンピュータ１２０並びにホールコンピュータ１１０が設置されている遊技場の場合においては、前述のように、ランキング情報が管理サーバ１４０に記憶されている前記遊技関連情報テーブルの記憶データに基づいて自動的に生成、登録（記憶）されるようになることから必要ないが、これら会員管理コンピュータ１２０並びにホールコンピュータ１１０が設置されていない遊技場にあっては、当遊技場管理者用サイトにおいてランキング情報の更新を行うことで、該ランキング情報がアクセス利用者に提供されるようになる。
【０１８６】
このランキング情報の更新を行う場合には、図２９（ａ）に示す管理画面（ページ）（前記図２２（ｄ）と同一）に示すように「ランキング管理」の項目を選択する。この「ランキング管理」の項目を選択することに基づいて、図２９（ｂ）に示すように、「パチンコベスト１０」、「パチンコワースト１０」、「パチンコ機種別ベスト１０」、「パチンコ機種別ワースト１０」、「パチスロベスト１０」、「パチスロワースト１０」の各項目を有するランキング管理ページが配信される。
【０１８７】
この図２９（ｂ）のランキング管理ページにおいて、遊技場管理者が「パチンコベスト１０」のランキング情報を更新したい場合には、「パチンコベスト１０」の項目を選択することにより、図２９（ｃ）に示すように、「大当り回数」、「出玉数」、「確変回数」のうちどのランキング情報を入力するか選択するための選択項目が設けられた選択用ページが配信されるようになっており、該選択用ページにおいて、例えば、「出玉数」を選択すると、図２９（ｄ）に示すように、パチンコ出玉数ベスト１０を入力するための入力ページが配信される。
【０１８８】
この入力ページには、図２９（ｄ）に示すように、順位毎に「機種名」、「台番号」、「出玉数」を入力できる入力部が設けられており、遊技場管理者は自己が所属する遊技場における出玉数の上位１０台の台番号、機種名、出玉数を順次入力した後、該入力ページ設けられている「更新」の項目を選択することで、該入力ページにて受付けた各順位の「機種名」、「台番号」、「出玉数」の各情報が管理サーバ１４０に送信され、アクセス中の当該遊技場管理者が所属する遊技場の遊技場ＩＤに対応付けて管理サーバ１４０のランキングテーブルのパチンコ出玉数ベスト１０内の各項目に記憶され、これらランキングテーブルのパチンコ出玉数ベスト１０に登録（記憶）されたランキング情報が、前述のように、店舗情報のページにおける「昨日のパチンコベスト１０」の選択後に「出玉数」を選択することにより、アクセス利用者の携帯電話１６やノートパソコン１５に配信される。
【０１８９】
また、図２９（ｂ）のランキング管理のページにおいて、遊技場管理者が「パチスロベスト１０」のランキング情報を更新したい場合には、「パチスロベスト１０」の項目を選択することにより、図２９（ｅ）に示すように、「ＢＢ回数」、「ＲＢ回数」、「出枚数」のうちどのランキング情報を入力するか選択するための選択項目が設けられた選択用ページが配信されるようになっており、該選択用ページにおいて、例えば、「出枚数」を選択すると、図２９（ｅ）に示すように、パチスロ出枚数ベスト１０を入力するための入力ページが配信される。
【０１９０】
この入力ページには、図２９（ｆ）に示すように、順位毎に「機種名」、「台番号」、「出枚数」を入力できる入力部が設けられており、遊技場管理者は自己が所属する遊技場における出枚数の上位１０台の台番号、機種名、出枚数を順次入力した後、該入力ページ設けられている「更新」の項目を選択することで、該入力ページにて受付けた各順位の「機種名」、「台番号」、「出枚数」の各情報が、アクセス中の当該遊技場管理者が所属する遊技場の遊技場ＩＤに対応付けて管理サーバ１４０のランキングテーブルのパチスロ出枚数ベスト１０内の各項目に記憶され、これらランキングテーブルのパチスロ出枚数ベスト１０に登録（記憶）されたランキング情報が、前述のように、店舗情報のページにおける「昨日のパチスロベスト１０」の選択後に「出枚数」を選択することにより、アクセス利用者の携帯電話１６やノートパソコン１５に配信される。
【０１９１】
尚、図２９（ｂ）のランキング管理のページに設けられている「パチンコワースト１０」や「パチスロワースト１０」の各項目を選択した場合においても、前述した「パチンコベスト１０」や「パチスロベスト１０」における流れと同様にして、ランキング情報の入力を受付けて、該受付けたランキング情報がランキングテーブルのパチンコワースト１０やパチスロワースト１０内の各部に登録（記憶）されるようになっている。
【０１９２】
また、図２９（ｂ）のランキング管理のページに設けられている「パチンコ機種別ベスト１０」や「パチンコ機種別ワースト１０」の各項目を選択した場合においても、前述した「パチンコベスト１０」や「パチスロベスト１０」における流れと同様にして、ランキング情報の入力が受付けられるようになっているが、前述の例えば図２９（ｃ）に示す「大当り回数」、「出玉数」、「確変回数」の遊技関連情報の選択に加えて、遊技機の機種名を入力する機種名入力部が設けられていることで、機種別にランキング情報の入力を実施することにより、該入力した機種別の各ランキング情報が、前述の機種別ランキングテーブルに記憶されて、機種別ランキングの選択によりアクセス利用者の携帯電話１６やノートパソコン１５に配信されるようになる。
【０１９３】
次に、遊技場管理者が台情報の更新を行う場合について説明する。これら台情報の更新を行う場合には図３０（ａ）に示す管理画面（ページ）（前記図２２（ｄ）と同一）に示すように「台管理」の項目を選択する。この「台管理」の項目を選択することに基づいて、図３０（ｂ）に示すように、パチンコ台管理」、「パチスロ台管理」の選択項目を有する台管理ページが配信される。
【０１９４】
遊技場管理者がパチンコ台の台情報の更新を行いたい場合には、この台管理ページにおいて、「パチンコ台管理」の項目を選択すれば良く、「パチンコ台管理」の項目選択により図３０（ｃ）に示すように、パチンコ台の「台番号」と「機種名」を入力できる入力部を有するパチンコ台情報更新のページが配信されることで、遊技場管理者は「台番号」に対応づけて「機種名」を入力部に入力し、該ページに設けられている「更新」の項目を選択することにより、該遊技場管理者が入力した「台番号」と「機種名」が、管理サーバ１４０の遊技関連情報テーブルに該遊技場管理者が所属する遊技場の遊技場ＩＤに対応付けて記憶されている「台番号」に一致する「機種名」の項目に記憶されることで、該入力した台番号の機種名の更新が実施される。
【０１９５】
尚、遊技場管理者がパチスロ台（スロットマシン）の台情報の更新を行いたい場合には、図３０（ｂ）の台管理のページにおいて、「パチスロ台管理」の項目を選択すれば良く、該選択後において「パチンコ台管理」と同様の流れにより指定した「台番号」と「機種名」が変更される。
【０１９６】
次いで、図３１は、本実施例の管理サーバ１４０並びにサイトサーバ１４によって構築される予約サイトを運営する予約受付会社の管理者が、該予約サイトにおける設定当を行う流れについて示したものであり、予約受付会社の管理者もリモートによりサイトサーバ１４にアクセスして各種の設定の変更を実施できるようになっていて、図３１（ａ）に示すように、遊技場の管理者同様に、予約受付会社専用の管理画面（ページ）入り口のＵＲＬを入力することで図３１（ｂ）に示す予約受付会社専用の管理画面（ページ）入り口のページが配信される。
【０１９７】
この予約受付会社専用の管理画面（ページ）入り口のページには、予約受付会社の管理者の「ＩＤ」と「パスワード」の入力項目が設けられおり、図３１（ｂ）のログインページにおいて、予約受付会社の管理者は「ＩＤ」と「パスワード」を入力したのち「ログイン」を選択することで、これら入力した「ＩＤ」と「パスワード」とが、管理サーバ１４０の予約受付会社用管理者専用の認証テーブルの記憶データに基づいて照合され、照合が一致すると、サイトサーバ１４から予約受付会社の管理者の情報端末に、（ｄ）に示す予約受付会社管理画面（ページ）が配信される。尚、ＩＤとパスワードが一致しない場合には、ログインエラーとなり、「ＩＤとパスワードが一致しません。」などのエラーメッセージが記載された図３１（ｃ）のページが配信される。
【０１９８】
この図３１（ｄ）に示す予約受付会社管理画面（ページ）には、「マスタ管理」、「ホール管理」、「機種管理」、「会員管理」、「プロモーション管理」、「データ管理」、「商品情報管理」、「メール配信管理」、「メール配信」、「決済管理」、「ログ管理」、「サポート管理」、「ホールサポート」、「会員サポート」、「ホールコンテンツ管理」などのメニュー項目が設けられている。また、該予約受付会社管理画面（ページ）において、「ホールサポート」、「会員サポート」の項目には、遊技場（ホール）の管理者やアクセス利用者（サイト会員）から問い合わせがあった場合に印しが点灯されることで問い合わせがあったことが報知される。
【０１９９】
ここで、予約受付会社の管理者が新規に遊技場の登録を行う場合について説明する。図３１（ｄ）の予約受付会社管理（ページ）において、「ホール管理」の項目を選択すると、図３１（ｅ）のホール管理のページが配信される。この図３１（ｅ）のホール管理のページには、「新規ホールの登録」、「登録ホール情報の検索」、「ホールの削除」、「ホール情報の変更」の項目が設けられており、該ホール管理のページにおいて、「新規ホールの登録」を選択すると、図３１（ｆ）の新規ホールの登録のページが配信される。この新規ホールの登録のページには、配信された時点で、自動生成された遊技場ＩＤとパスワードを表示する「ホールＩＤ」、「ＰＡＳＳ」の項目と、「ホール名」、「郵便番号」、「都道府県」、「市区町村」、「番地、他」、「電話番号」、「ＦＡＸ番号」、「担当者名」、「メールアドレス」、「ＵＲＬ」などの遊技場情報の入力項目が設けられている。
【０２００】
予約受付会社の管理者は、新規に登録したい遊技場の情報を入力項目に手入力で入力し、図３１（ｅ）のページに設けられている「登録」の項目を選択すると、予約受付会社の管理者が入力した新しく登録したい遊技場の「遊技場ＩＤ」、「パスワード」、「店舗名」などの情報が表示された図３１（ｇ）の登録確認のページが配信される。そして、該ページ設けられた「ＯＫ」の項目を選択すると、店舗名（遊技場名）が、管理サーバ１４０の遊技関連情報テーブルにおいて遊技場ＩＤに対応づけられて登録（記憶）され、遊技場情報が、遊技場ＩＤに対応づけられて管理サーバ１４０の管理者用テーブルに登録（記憶）される。予約受付会社の管理者の情報端末には、図３１（ｈ）の新規ホールの登録が完了した旨を伝えるメッセージがサイトサーバ１４から配信されるとともに、これら新たに登録した遊技場の遊技場管理者の管理者用情報端末であるノートパソコン１５０に、生成された遊技場ＩＤとパスワードとログインページのＵＲＬが含まれたメールが配信されることで、遊技場管理者が、遊技場ＩＤとパスワードとログインページのＵＲＬが含まれたメールを受信することで、これら遊技場管理者が、前述したように、図２２（ｂ）のログインページにおいて遊技場ＩＤとパスワードを入力することで、遊技場管理者用サイトにログインできるようになる。
【０２０１】
ここで、本実施例のサイトサーバ１４による予約サイトにおいて受付けられた各遊技場の予約可能台に対する予約が、各遊技場においてどのように実行されるかについて説明すると、これら各遊技場の予約可能台に対する予約は、前述のように、管理サーバ１４０において、予約可能台であるかや当該遊技機が既に予約されていないかが確認された後、予約が許容されることでサイト予約情報テーブルに、当該予約された遊技機が設置されている遊技場の遊技場ＩＤと台番号とに対応付けて、予約を実施したサイト会員のサイト会員ＩＤと、遊技場会員ＩＤ（当該サイト会員が予約を実施した遊技場の遊技場会員である場合のみ）とが記憶され、該サイト予約情報テーブルに記憶されているこれら予約情報が、前記会員管理コンピュータ１２０が設置されている場合には、営業前の所定時間において当該遊技場に設置されている遊技機へのその当日の予約情報が自動的に配信されて前記会員管理コンピュータ１２０の遊技関連情報テーブルに記憶されるようになっている。
【０２０２】
これら遊技関連情報テーブルに記憶された予約情報は、会員管理コンピュータ１２０のプリンタ１２７にて印刷されて、予約情報に含まれる台番号の遊技機には予約台を示すプレートが係員等により掲示される。そして、当該遊技場会員ＩＤが登録されていない予約の場合には、予約者が来場した際に、該予約者からサイト会員ＩＤの提示を受けて予約者であるかを確認し、該予約台における遊技が許容される。
【０２０３】
また、遊技関連情報テーブルに記憶された予約情報の内、当該遊技場会員ＩＤが登録されている予約情報の場合は、予約された遊技機に対応するカードユニット３に営業開始時点から挿入される会員カードから読み出された会員ＩＤが当該遊技機への予約情報に含まれる遊技場会員ＩＤに一致するか否かが会員管理コンピュータ１２０にて照合され、照合が一致した場合において当該カードユニット３の利用が可能とされることで、予約台における当該予約者の遊技が許容され、当該予約者である遊技場会員以外の遊技者の遊技が不能とされる。尚、これら会員管理コンピュータ１２０による予約者の遊技場会員ＩＤの照合は、必ずしも実施する必要はなく、これら予約者が遊技場会員である場合においても前述のように、サイト会員ＩＤや遊技場会員ＩＤを来場してきた遊技者に提示してもらい、係員が照合を実施して遊技を許容するようにしても良い。
【０２０４】
一方、会員管理コンピュータ１２０が設置されていない遊技場の場合には、当該遊技場の管理者が、前記遊技場用端末となるノートパソコン１５０を用い、営業開始前の適宜な時刻において遊技場管理者用サイトにアクセスしてその当日の予約状況を「予約管理」のメニュー項目を選択し、当日の日付を指定することでサイトサーバ１４から配信される予約状況ページにて確認するとともに、該予約状況ページが印刷されることにより予約がなされている台を特定し、該特定した予約されている台に予約台を示すプレートを係員等が掲示し、予約者が来場した際に、該予約者からサイト会員ＩＤの提示を受けて予約者であるかを確認して、予約台における遊技を許容する。
【０２０５】
以上、本実施例によれば、遊技場は、前記遊技場用端末となるノートパソコン１５０から、遊技場管理者用サイトにアクセスし、図２７（ｄ）に示すスケジュール管理ページのカレンダ上において遊技機の予約を可能とする期間（日付）を、図２７（ｅ）に示す予約可能台の設定ページにおいて、当該期間において予約を可能とする遊技機（台番号）とを、出玉状況や営業方針を加味して設定できるようになるため、従来の予約サービスに比べて、遊技場の営業戦略に沿った予約サービスを提供でき、これにより、例えば、遊技機の予約を集客向上や客が殺到する遊技機の混乱防止等のために利用することができる。
【０２０６】
また、本実施例によれば、サイト会員は、最大５つの遊技場を予約対象として登録でき、これら各遊技場ＩＤに対応付けて予約可能台の情報が前記予約対象台テーブルに登録されていることから、遊技者であるアクセス利用者は、これら５つの遊技場の中から予約する遊技機を任意に選択できるようになるため、遊技者の利便性を向上できる。
【０２０７】
また、本実施例によれば、図２７（ｅ）に示す予約可能台の設定ページにおいて、予約時間帯を遊技場管理者が設定でき、遊技場が予約を行ってほしい客層の遊技者（アクセス利用者）が予約を実施可能な時間帯、例えば多くの勤務者が勤務中の時間帯を避けた夜の時間帯を予約可能時間として設定できるようになり、これら遊技場が予約を行ってほしい客層の遊技者が予約に際して不利となってしまう不都合を回避することができる。
【０２０８】
また、本実施例によれば、図２７（ｅ）に示す予約可能台の設定ページにおいて、予約を実施することのできる遊技者（アクセス利用者）の条件を、「予約対象条件」の項目において選択設定できることから、遊技場は、予約を実施できる遊技者（アクセス利用者）を特定の遊技者（アクセス利用者）、例えば女性や当該遊技場の遊技場会員等に限定できるようになり、これら予約の可否を遊技者の優遇に利用すること等により、多彩な形態の予約の運用を実施できるようになる。
【０２０９】
また、本実施例によれば、各遊技場に設置されている会員管理コンピュータ１２０から遊技関連情報の更新データが送信されることで、管理サーバ１４０における遊技関連情報テーブルの遊技関連情報において各遊技場の遊技機の遊技関連情報が管理され、該遊技関連情報が、ベスト１０ランキングやワースト１０ランキングや台抽出結果ページや機種別ランキングページに示すように、これらの各ページにおいて遊技機が予約可能である「予約可」の表示とともに配信されて表示されるようになっており、遊技者（アクセス利用者）は、遊技関連情報を参考にして予約する遊技機を決定できるため、遊技者の利便性を向上できるとともに、予約可能とされていない遊技機の遊技関連情報も予約可能な遊技機の遊技関連情報とともに配信されることで、予約可能な遊技機の遊技関連情報を、予約可能とされていない遊技機の遊技関連情報と比較して予約する遊技機を選択できるようになるため、遊技者の利便性を更に向上できる。
【０２１０】
また、本実施例によれば、前記新台情報ページに示すように、予約可能な遊技機に関する告知、例えば新たに予約可能となる遊技機である新台に関する情報等を遊技者に対して実施できるようになり、結果として遊技者の予約の利用を向上できる。
【０２１１】
以上、本発明の実施例を図面により説明してきたが、具体的な構成はこれら実施例に限られるものではなく、本発明の要旨を逸脱しない範囲における変更や追加があっても本発明に含まれる。
【０２１２】
例えば、前記実施例では、サイトサーバ１４と管理サーバ１４０とを個別に設けているが、本発明はこれに限定されるものではなく、これら各サーバを１つのサーバにて構築しても良い。
【０２１３】
また、前記実施例においてはアクセス利用者の情報端末として遊技者が所持する携帯電話１６やノートパソコン１５を例示したが、本発明はこれに限定されるものではなく、これら情報端末としては、オープンコンピュータネットワークであるインターネット網に接続可能なものであれば利用可能であることは言うまでもなく、例えばこれら情報端末としては、遊技場において貸し出される携帯電話であっても良いし、遊技場内に配置されたパソコンや、該パソコンを内在した専用の顧客用端末装置としても良い。
【０２１４】
また、前記実施例においては、各遊技場に設置されている遊技機の翌日における予約可、予約不可を特定するための情報を、予約対象台テーブルに記憶されている予約対象情報に基づいて遊技関連情報テーブルの「予約」の項目に記憶しているが、本発明はこれに限定されるものではなく、これら各遊技機の予約可または予約不可を、予約対象台テーブルに登録されている予約対象情報に基づいて、その都度特定するようにしても良い。
【０２１５】
また、前記実施例では、遊技関連情報を会員管理コンピュータ１２０から自動的に所定時間毎に送信することで、管理サーバ１４０における遊技関連情報テーブルに反映されるようになっているが、本発明はこれに限定されるものではなく、例えばこれらの遊技関連情報を、遊技場端末となるノートパソコン１５０から、一日のうちの所定時間において、所定形式のタグファイル等を管理サーバ１４０に電子メール等により送信することで、該タグファイルが管理サーバ１４０に転送されて、遊技関連情報テーブルに反映されるようにしても良い。また、前記実施例では、これら遊技関連情報の一部を、ランキング情報の入力に際してノートパソコン１５０から入力するようにしており、このように、遊技関連情報を受付けるためのページを各ノートパソコン１５０に配信して遊技関連情報をサイトサーバ１４にて受付け、該受付けた遊技関連情報に基づいて管理サーバ１４０が遊技関連情報テーブルを更新するようにしても良い。
【０２１６】
また、前記実施例では、会員管理コンピュータ１２０とノートパソコン１５０とを個別の端末としているが、本発明はこれに限定されるものではなく、これらノートパソコン１５０と会員管理コンピュータ１２０とを同一の遊技場端末としても良い。
【０２１７】
また、前記実施例では、ランキングテーブルや機種別ランキングテーブルを個別に設けて、これらランキングテーブルや機種別ランキングテーブルに予めランキング情報を記憶しておき、該ランキングテーブルや機種別ランキングテーブルに記憶されているランキング情報や機種別ランキング結果をアクセス利用者の携帯電話１６に配信するようにしているが、本発明はこれに限定されるものではなく、これらのランキング情報や機種別ランキング結果を、遊技関連情報テーブルにおける記憶内容に基づいて、ランキング情報や機種別ランキング結果の配信要求がなされた時点においてランキングして配信するようにしても良い。
【０２１８】
また、前記実施例では、ホールコンピュータ１１０が各遊技機の遊技関連情報を収集し、該ホールコンピュータ１１０にて収集された遊技関連情報を会員管理コンピュータ１２０が管理サーバ１４０に対して送信するようにしているが、本発明はこれに限定されるものではなく、会員管理コンピュータ１２０が各遊技機の遊技関連情報を直接収集して管理サーバ１４０に対して送信するようにしてもよいし、或いは、ホールコンピュータ１１０が各遊技機の遊技関連情報を管理サーバ１４０に対して直接送信するようにしてもよく、つまりは、このようにすることで、ホールコンピュータ１１０若しくは会員管理コンピュータ１２０のどちらか一方のみを用いて、各遊技機の遊技関連情報が管理サーバ１４０に送信されるようにしてもよい。
【０２１９】
また、ホールコンピュータ１１０や会員管理コンピュータ１２０を遊技場に設けずに、遊技機（パチンコ機２）の遊技関連情報を、遊技機（パチンコ機２）やカードユニット３から直接、管理サーバ１４０へ送信するようにしてもよい。
【０２２０】
また、前記実施例では、遊技者であるアクセス利用者の遊技者識別情報であるサイト会員ＩＤをログイン時において既に受付けていることから、遊技機の予約の受付け時においては、サイト会員ＩＤを改めて受付けることを実施せずに、アクセス利用者がこれらサイト会員ＩＤを改めて入力する手間を省けるようにしているが、本発明はこれに限定されるものではなく、これら予約を希望する遊技機の指定（選択）時において、同時に遊技者識別情報であるサイト会員ＩＤを受付けるようにしても良い。
【０２２１】
前記各実施例における各要素は、本発明に対して以下のように対応している。
本発明の請求項１は、通信回線網（インターネット網）を介して接続された遊技場関係者が操作可能な遊技場用端末（ノートパソコン１５０）から、当該遊技場に設置されている遊技機の予約を可能とする期間（予約日）を特定可能な情報と、当該期間において予約を可能とする遊技機を個々に識別可能な遊技機識別情報（台番号）と、を予約可能対象情報（スケジュール管理ページ、予約可能台の設定ページの入力情報）として受付ける予約可能対象情報受付手段（サイトサーバ１４）と、該予約可能対象情報受付手段にて受付けた予約可能対象情報を記憶する予約可能対象情報記憶手段（管理サーバ１４０；予約対象台テーブル）と、通信回線網を介して接続された遊技者（アクセス利用者）が操作可能な情報端末（携帯電話１６）からのアクセスに基づいて、前記予約可能対象情報記憶手段に記憶している予約可能対象情報に基づいて当該アクセス時点において予約可能な遊技機を特定し該特定した予約可能な遊技機を特定可能な情報を含む予約対象情報（予約可能台ページ）をアクセスしてきた情報端末に配信する予約対象情報配信手段（サイトサーバ１４）と、該情報端末から遊技者が予約を所望する遊技機の遊技機識別情報と、当該遊技者を個々に識別可能な遊技者識別情報（サイト会員ＩＤ）と、を予約要求として受付ける予約要求受付け手段（サイトサーバ１４）と、該予約要求受付け手段にて予約要求として受付けた遊技機識別情報から識別される遊技機の予約を許容するか否かを判定する判定手段（管理サーバ１４０）と、該判定手段において予約を許容すると判定されたことを条件に、前記予約要求受付け手段にて予約要求として受付けた遊技機識別情報と遊技者識別情報とを対応付けて予約情報として記憶する予約情報記憶手段（管理サーバ１４０、サイト予約情報テーブル）と、を備える。
【０２２２】
本発明の請求項２は、前記予約可能対象情報受付手段（サイトサーバ１４）は、遊技場を個々に特定可能な遊技場識別情報（遊技場ＩＤ）と予約可能対象情報（スケジュール管理ページ、予約可能台の設定ページの入力情報）とを受付け、前記予約可能対象情報記憶手段（管理サーバ１４０、サイト予約情報テーブル）は、前記予約可能対象情報受付手段により受付けた前記遊技場識別情報と予約可能対象情報とを対応付けて記憶し、前記予約対象情報配信手段（サイトサーバ１４）は、前記情報端末（携帯電話１６）から指定を受付けた指定遊技場の遊技場識別情報に対応付けて前記予約可能対象情報記憶手段に記憶されている予約可能対象情報に基づいて前記アクセス時点において予約可能な遊技機を特定する。
【０２２３】
本発明の請求項３は、前記予約要求受付け手段（サイトサーバ１４）が前記情報端末（携帯電話１６）から予約要求の受付けを実施する予約可能時間（予約時間帯（図２７（e））を、前記遊技場用端末（ノートパソコン１５０）から受付ける予約可能時間受付手段（サイトサーバ１４）を備え、前記予約要求受付け手段（サイトサーバ１４）は、前記予約可能時間受付手段にて受付けた予約可能時間内において予約要求の受付けを実施する。
【０２２４】
本発明の請求項４は、前記遊技者識別情報（サイト会員ＩＤ）に対応付けて、当該遊技者に関する属性情報を記憶する遊技者情報記憶手段（管理サーバ１４０、サイト会員情報テーブル）と、予約を行うことのできる遊技者条件として前記属性情報に関する条件（予約対象条件（図２７（e））を前記遊技場用端末（ノートパソコン１５０）から受付ける予約対象条件受付手段（サイトサーバ１４）と、前記予約要求受付け手段（サイトサーバ１４）にて予約要求として受付けた遊技者識別情報に対応付けて前記遊技者情報記憶手段に記憶されている属性情報に基づいて、当該遊技者が前記予約対象条件受付手段にて受付けた属性情報に関する条件を満たす予約を行うことのできる遊技者であるか否かを判定する予約対象者判定手段（管理サーバ１４０）と、を備え、前記判定手段（管理サーバ１４０）は、前記予約対象者判定手段において予約を行うことのできる遊技者に該当すると判定されたことを条件に、前記予約を許容するか否かの判定を実施する。
【０２２５】
本発明の請求項５は、少なくとも前記予約可能対象情報受付手段（サイトサーバ１４）にて受付けた情報から特定される予約を可能とする遊技機の前記遊技機識別情報（台番号）と当該遊技機での遊技に関連して発生する遊技関連情報を入力するための遊技関連情報入力手段（会員管理コンピュータ１２０、デジタルサービスユニット１４８）と、該遊技関連情報入力手段より入力された前記遊技機識別情報と遊技関連情報とを対応付けて記憶するための遊技関連情報記憶手段（管理サーバ１４０、記憶装置１４５）と、該遊技関連情報記憶手段に記憶されている少なくとも予約を可能とする遊技機の遊技関連情報（詳細情報ページ（図１４（ｅ））を前記情報端末（携帯電話１６）に配信する遊技関連情報配信手段（サイトサーバ１４）と、を備える。
【０２２６】
本発明の請求項６は、前記遊技関連情報入力手段（会員管理コンピュータ１２０、デジタルサービスユニット１４８）には、予約を可能とする遊技機以外の予約を不能とする遊技機の前記遊技機識別情報（台番号）と遊技関連情報とが入力され、前記遊技関連情報記憶手段（管理サーバ１４０、記憶装置１４５）には、各遊技機識別情報に対応付けて当該遊技機が予約を可能とする遊技機か否かを識別可能な予約可否情報が記憶され、前記遊技関連情報配信手段（サイトサーバ１４）は、前記遊技関連情報記憶手段に記憶されている遊技関連情報を、当該遊技関連情報に対応付けて記憶されている前記予約可否情報に基づいて、当該遊技関連情報に対応する遊技機が予約を可能とする遊技機であるか否かを識別可能（「予約可」表示）に配信する。
【０２２７】
本発明の請求項７は、前記予約可能対象情報受付手段（管理サーバ１４０、予約対象台テーブル）にて受付けた情報から特定される予約を可能とする遊技機に関する告知情報（新台情報）を前記遊技場用端末（ノートパソコン１５０）から受付ける告知情報受付手段（サイトサーバ１４）と、該告知情報受付手段にて受付けた告知情報を記憶する告知情報記憶手段（管理サーバ１４０、告知情報テーブル）と、該告知情報記憶手段に記憶した告知情報を前記情報端末（携帯電話１６）に配信する告知情報配信手段（サイトサーバ１４）と、を備える。
【図面の簡単な説明】
【０２２８】
【図１】本発明の実施例における遊技用システムの構成を示すシステム図である。
【図２】本発明の実施例における遊技用システムに用いたホールコンピュータと会員管理コンピュータの構成を示すブロック図である。
【図３】（ａ）は、本発明の実施例の会員管理コンピュータにおける会員情報テーブルを示す図であり、（ｂ）は、遊技関連情報テーブルを示す図であり、（ｃ）は、予約情報テーブルを示す図である。
【図４】本発明の実施例における遊技用システムに用いたサイトサーバと管理サーバの構成を示すブロック図である。
【図５】（ａ）は、本発明の実施例における管理サーバのサイト会員情報テーブルを示す図であり、（ｂ）は、サイト予約情報テーブルを示す図である。
【図６】（ａ）は、本発明の実施例における管理サーバの遊技関連情報テーブルを示す図であり、（ｂ）は、予約対象台情報テーブルを示す図である。
【図７】（ａ）は、本発明の実施例における管理サーバの告知情報テーブルを示す図であり、（ｂ）は、ランキングテーブルを示す図である。
【図８】本発明の実施例における会員管理コンピュータと管理サーバとサイトサーバとの間のデータの流れを示す図である。
【図９】本発明の実施例における会員管理コンピュータと管理サーバとの間のデータの流れを示す図である。
【図１０】本発明の実施例における会員管理コンピュータと管理サーバとの間のデータの流れを示す図である。
【図１１】本発明の実施例における遊技機予約サービスの配信画面（ページ）の流れを示す図である。
【図１２】本発明の実施例における遊技機予約サービスの配信画面（ページ）の流れを示す図である。
【図１３】本発明の実施例における遊技機予約サービスの配信画面（ページ）の流れを示す図である。
【図１４】本発明の実施例における遊技機予約サービスの配信画面（ページ）の流れを示す図である。
【図１５】本発明の実施例における遊技機予約サービスの配信画面（ページ）の流れを示す図である。
【図１６】本発明の実施例における遊技機予約サービスの配信画面（ページ）の流れを示す図である。
【図１７】本発明の実施例における遊技機予約サービスの配信画面（ページ）の流れを示す図である。
【図１８】本発明の実施例における遊技機予約サービスの配信画面（ページ）の流れを示す図である。
【図１９】本発明の実施例における遊技機予約サービスの配信画面（ページ）の流れを示す図である。
【図２０】本発明の実施例における遊技機予約サービスの配信画面（ページ）の流れを示す図である。
【図２１】本発明の実施例における遊技機予約サービスの配信画面（ページ）の流れを示す図である。
【図２２】本発明の実施例における遊技機予約サービスの管理画面（ページ）の流れを示す図である。
【図２３】本発明の実施例における遊技機予約サービスの管理画面（ページ）の流れを示す図である。
【図２４】本発明の実施例における遊技機予約サービスの管理画面（ページ）の流れを示す図である。
【図２５】本発明の実施例における遊技機予約サービスの管理画面（ページ）の流れを示す図である。
【図２６】本発明の実施例における遊技機予約サービスの管理画面（ページ）の流れを示す図である。
【図２７】本発明の実施例における遊技機予約サービスの管理画面（ページ）の流れを示す図である。
【図２８】本発明の実施例における遊技機予約サービスの管理画面（ページ）の流れを示す図である。
【図２９】本発明の実施例における遊技機予約サービスの管理画面（ページ）の流れを示す図である。
【図３０】本発明の実施例における遊技機予約サービスの管理画面（ページ）の流れを示す図である。
【図３１】本発明の実施例における遊技機予約サービスの管理画面（ページ）の流れを示す図である。
【図３２】本発明の実施例における予約台条件設定画面を示す図である。
【図３３】本発明の実施例における予約対象予定台確認画面を示す図である。
【図３４】本発明の実施例における予約設定状況確認画面を示す図である。
【図３５】本発明の実施例における管理サーバの機種別ランキングテーブルを示す図である。
【符号の説明】
【０２２９】
２        パチンコ機
３        カードユニット
１４      サイトサーバ
１６      携帯電話端末
１１０    ホールコンピュータ
１２０    会員管理コンピュータ
１４０    管理サーバ
１５０    ノートパソコン
【図１】
2005111010.tif 000003
【図２】
2005111010.tif 000004
【図３】
2005111010.tif 000005
【図４】
2005111010.tif 000006
【図５】
2005111010.tif 000007
【図６】
2005111010.tif 000008
【図７】
2005111010.tif 000009
【図８】
2005111010.tif 000010
【図９】
2005111010.tif 000011
【図１０】
2005111010.tif 000012
【図１１】
2005111010.tif 000013
【図１２】
2005111010.tif 000014
【図１３】
2005111010.tif 000015
【図１４】
2005111010.tif 000016
【図１５】
2005111010.tif 000017
【図１６】
2005111010.tif 000018
【図１７】
2005111010.tif 000019
【図１８】
2005111010.tif 000020
【図１９】
2005111010.tif 000021
【図２０】
2005111010.tif 000022
【図２１】
2005111010.tif 000023
【図２２】
2005111010.tif 000024
【図２３】
2005111010.tif 000025
【図２４】
2005111010.tif 000026
【図２５】
2005111010.tif 000027
【図２６】
2005111010.tif 000028
【図２７】
2005111010.tif 000029
【図２８】
2005111010.tif 000030
【図２９】
2005111010.tif 000031
【図３０】
2005111010.tif 000032
【図３１】
2005111010.tif 000033
【図３２】
2005111010.tif 000034
【図３３】
2005111010.tif 000035
【図３４】
2005111010.tif 000036
【図３５】
2005111010.tif 000037